(57)【要約】  本発明は香料の分野に関する。本発明はさらに具体的には香料ディスペンスデバイスに関する。本発明のデバイスは、ディスペンス手段ならびに使用中に周囲の空気中に拡散したフレグランスの知覚に影響を及ぼす香料および選択された化合物を含む液体組成物を含む。【特許請求の範囲】
【請求項１】
−  液体組成物と、
−  該液体組成物を空気中に少なくとも部分的に供給するディスペンス手段と、
を含むデバイスであって、
前記液体組成物は、
ｉ）香料ならびに
ｉｉ）以下のａ）〜ｃ）からなる群から選択される有効量の少なくとも１種の配合化合物Ａ：
ａ）式（ＩＡ）による少なくとも１種の化合物
【化１】
2018531690.tif 000026
であって、
前記式中、
Ｒ１は水素原子またはメチル基を表し；
Ｒ２はピラゾール−５−イルまたはピラゾール−４−イルを表し、該ピラゾール−５−イルまたは該ピラゾール−４−イルは１個または２個のメチル基で置換されていてもよい；
Ｒ３は別々に考えた場合、水素原子を表し、かつＲ４は別々に考えた場合、水素原子またはメチル基またはメトキシ基を表すか；またはＲ３およびＲ４は一緒に考えた場合、（ＣＨ２）３または（ＯＣＨ２Ｏ）基を表す、前記化合物；
ｂ）３，４−メチレンジオキシケイ皮酸、Ｎ，Ｎ−ジフェニルアミド；および
ｃ）それらの混合物
を含む、前記デバイス。
【請求項２】
前記Ｒ１が水素原子を表すことを特徴とする、請求項１記載のデバイス。
【請求項３】
前記Ｒ２が１Ｈ−ピラゾール−５−イル基を表すことを特徴とする、請求項１または２記載のデバイス。
【請求項４】
前記Ｒ３は別々に考えた場合、水素原子を表し、かつＲ４は別々に考えた場合、メチル基を表すか；またはＲ３およびＲ４は一緒に考えた場合、（ＣＨ２）３基を表すことを特徴とする、請求項１から３までのいずれか１項に記載のデバイス。
【請求項５】
化合物（ＩＡ）がＮ−（１Ｈ−ピラゾール−５−イル）−Ｎ−（チオフェン−２−イルメチル）−２−（ｐ−トリルオキシ）アセトアミドであることを特徴とする、請求項１から４までのいずれか１項に記載のデバイス。
【請求項６】
ディスペンスされる液体組成物が、液体組成物の０．０００５〜０．２質量％の量で配合化合物Ａを含むことを特徴とする、請求項１から５までのいずれか１項に記載のデバイス。
【請求項７】
供給される液体組成物が、液体組成物の９９．９９９５〜９９．０質量％の量で香料を含むことを特徴とする、請求項１から６までのいずれか１項に記載のデバイス。
【請求項８】
前記デバイスが、エアフレッシュナーまたはエアロゾルディスペンサーデバイスの形であることを特徴とする、請求項１から７までのいずれか１項に記載のデバイス。
【請求項９】
前記デバイスがスプレーデバイスの形であることを特徴とする、請求項８記載のデバイス。
【請求項１０】
前記エアフレッシュナーがエアロゾルエアフレッシュナー、自動エアロゾルエアフレッシュナースプレーおよび液体電気式エアフレッシュナーからなる群から選択される、請求項８記載のデバイス。
【請求項１１】
香料、オーデパルファム、オードトワレ、オーデコロン、ボディスプラッシュまたはボディスプレーの形である、請求項８記載のデバイス。
【請求項１２】
香料と配合化合物Ａとの間の比が５０００：１〜５０：１であることを特徴とする、請求項１から１１までのいずれか１項に記載のデバイス。
【請求項１３】
少なくとも部分的に空気中に供給されるべき付香組成物の、または前記付香組成物を含有する付香された物品の感覚的な知覚および／またはフレグランスの拡散を強化、改善および／または調節する方法であって、最終製品配合物の０．００１２５〜０．００２５０質量％の量の、請求項１から５までのいずれか１項に規定された少なくとも１種の配合化合物Ａを前記組成物または前記物品に添加することを含む、前記方法。
【請求項１４】
少なくとも１種の配合化合物Ａを、最終製品配合物の０．００１２５〜０．００２５０質量％の量で添加する、請求項１３記載の方法。
【請求項１５】
発散デバイスを介して空気中に供給されるのに適した液体組成物であって、
（ｉ）前記液体組成物の全質量に対して０．０００５〜０．２質量％の量の請求項１から５までのいずれか１項に規定された配合化合物Ａのうち少なくとも１種；および
（ｉｉ）少なくとも１種の香油
を含む、前記液体組成物。
【発明の詳細な説明】
【技術分野】
【０００１】
発明の属する技術分野
本発明は香料の分野に関する。本発明はより具体的には香料ディスペンスデバイスに関する。本発明のデバイスは、香料および香料調節化合物を含有する液体組成物を含み、該組成物は使用中に周囲の空気中に拡散したフレグランスの知覚に影響を及ぼす。
【０００２】
背景
１種以上の活性物質を含有する多様な機構の液体および一般に揮発性の液体を介して家庭環境内で送達するためのデバイスの使用であって、前記活性物質が、フレグランス；殺虫剤；殺菌剤；農薬；衛生材料；および／または医薬品のうち少なくとも１種を含む、前記使用は近年ますます認められている。空気清浄デバイスまたは消臭剤は、現在、悪臭を隠す、またはフレグランスまたは他の揮発性活性成分を、デバイス周囲の空気に、特に部屋や食器戸棚、廃棄物容器、および他の閉鎖環境中に拡散させるために事実上、すべての家庭で使用されている。発散デバイスは、香料の他の分野、例えば、ファインフレグランスに、さらにはパーソナルケア製品、例えば消臭剤または発汗抑制剤にも従来から使用されている。
【０００３】
フレグランスおよび他の空気調整物質、例えば、浄化剤または消毒剤を発散するために使用され得る様々なタイプのデバイスの中で、１つのシステムのクラスは、キャニスタが加圧下で液体を保持し、バルブが開かれた際に液体を押し出すエアゾールキャニスタである。液体には、均一な圧力を維持するためにキャニスタの内部で蒸発する噴射剤が含まれており、キャニスタの外部で急速に蒸発させることによって機械による液体の分散を補助する。適切な噴射剤としてはプロパン、ブタンまたはイソブタンなどの揮発性炭化水素が挙げられる。エアロゾルは一般的に満足なスプレー性能をもたらすが、ユーザーによる手動操作が必要であるため、日常的な使用にとって特に都合がよいとは考えられていない。単相液体および噴射剤混合物を含有する計量式エアロゾルで作動するための自動エアロゾル活性化デバイスがある。これらのデバイスはエアロゾルを一定間隔で作動させて液体を噴霧することが可能である。発散に関するすべての公知の発散デバイスおよび方法論は、互いに利点および欠点を有し、これらは当業者ならびに最終的なエンドユーザーによって評価されるであろう。
【０００４】
このようなデバイスを使用する際の香料の発散に関して、消費者は総合的なフレグランス体験を知覚することができ、この点に関して、香料産業では、それらの空気中での拡散、それらの持続時間の延長、香料の習慣性の制限等の香料の知覚を強化する方法が常に注目されている。国際公開第２０１４１９５６８９号（WO2014195689）は、近年、例えば、空気清浄組成物において特に使用されるフレグランスへの慣れを防ぐように設計され、その結果、このようなデバイスを使用する際の消費者の体験を改善する新規な組成物を記載している。
【０００５】
したがって、特に、エアフレッシュナーを使用する場合は、消費者の体験全体に特別な利益を与えることが常に望ましい。例えば、香料、オーデコロン、オーデパルファム、オードトワレ、ボディスプレー、ボディスプラッシュ、またはパーソナルデオドラントの場合と同様に、フレグランスの少なくとも一部が空気中に拡散される適用時に発散デバイスを使用する際の香料の拡散を改善することも、この産業が常に求めていることである。
【０００６】
本発明は、発散デバイスを介して空気中に少なくとも部分的に送達されるのに適した組成物を用いてこれらのニーズに応える新規な解決策を提供し、前記組成物は、空気中にディスペンスされるフレグランスに関する消費者の体験全体を明確に調節する選択された化合物を含む。これらの特定の使用される化合物のいくつかは国際公開第２０１２０６１６９８号（WO2012061698）に記載されている。この出願は、メラスタチン一過性受容体電位チャネル８（ＴＲＰＭ８）のモジュレーターとしての化合物、特に冷感に関与するチャンネル、およびこれらの化合物を含有する製品について記載しており、その際、使用中のヒトまたは動物と皮膚または粘膜との接触などの表面接触がある。しかしながら、これらの成分が空気中のフレグランスの知覚に影響を与え得るという事実について全く教示または示唆されていない。
【０００７】
発明の詳細な説明
他に規定されない限り、パーセンテージとは、パーセンテージを質量で表したものである。
【０００８】
本発明は、少なくとも部分的には空気中に液体組成物を送達するのに適し、そのような液体組成物の一部として香料および少なくとも１種の選択された化合物を含むデバイスに関する。驚くべきことに、前記化合物が供給される組成物中に存在することで、空気中の香料の感覚的な体験全体が明確に調節されたことが分かった。香料の感覚的な体験全体を調節するとは、消費者が匂いのプロファイル自体を変更または改変することなく、フレグランスの知覚にプラスの効果を感じていることを意味する。また、空気中に少なくとも部分的に送達される際に、選択された化合物が香料中に存在することによってもたらされる技術的効果は、調節効果と呼ばれ、たった１つの知覚感覚に限定されず、２種または３種の知覚感覚を含む。
【０００９】
したがって、本発明の第１の対象は、少なくとも部分的に空気中に供給される液体組成物を含むデバイスで構成されており、前記組成物は、香料および有効量の少なくとも１種の化合物（「配合化合物」）を含み、前記少なくとも１種の化合物は、以下のａ）〜ｅ）からなる群から選択される：
ａ）Ｎ−置換−ｐ−メンタン−３−カルボキサミド；
ｂ）非環式カルボキサミド；
ｃ）下記式ＩまたはＩＩによる化合物、ここで、式Ｉの化合物は、
【化１】
2018531690.tif 000002
によって表され、
前記式中、
Ａｒは任意で置換されるアリール、任意で置換されるカルボシクリル、または任意で置換されるヘテロアリールであり；
Ｙは酸素または硫黄であり；
Ｚは窒素またはＣＲであり；
Ｒは水素または低級アルキルであり；
Ｘ１−Ｘ２はＯ−ＣＲ２ａＲ２ｂまたはＣＲ３＝ＣＲ４であり；
Ｒ２ａ、Ｒ２ｂ、Ｒ３およびＲ４は独立して水素または低級アルキルであり；
Ｒ１は、水素、任意で置換されるアルキルまたは任意で置換される５員のヘテロアリールであり；
ｎは０、１、２または３であり、かつ
Ｒ２はそれぞれ独立して任意で置換されるアルキル、任意で置換されるヘテロアルキル、任意で置換されるアルケニル、アルコキシ、ヒドロキシル、アミノ、Ｎ−アルキルアミノ、Ｎ−ジアルキルアミノ、ハロ、ニトロ、シアノ、アシル、カルボキシル、カルボキシルエステル、またはアミドであり、
任意の置換基はそれぞれアルキル、ヘテロアルキル、アルケニル、アルコキシ、ヒドロキシル、アミノ、Ｎ−アルキルアミノ、Ｎ−ジアルキルアミノ、ハロ、ニトロ、シアノ、アシル、カルボキシル、カルボキシルエステル、またはアミドからなる群から選択されるか；または２つの置換基は、それらが結合される原子と一緒に、アルキルまたはアルコキシで任意で置換されるカルボシクリルを形成するか；または２つの置換基は、それらが結合される原子と一緒に、窒素、酸素および硫黄から選択される１つ以上のヘテロ原子を有するヘテロシクリルを形成し、かつ式ＩＩの化合物は、
【化２】
2018531690.tif 000003
によって表され、
ここで
Ａｒは任意で置換されるアリール、任意で置換されるカルボシクリル、または任意で置換されるヘテロアリールであり；
Ｘ１−Ｘ２は、Ｏ−ＣＲ２ａＲ２ｂ、ＣＲ３−ＣＲ４、ＣＨＲ５−ＣＨＲ６、またはシクロアルキルであり；
Ｒ２ａ、Ｒ２ｂ、Ｒ３、Ｒ４、Ｒ５およびＲ６は、独立して水素または低級アルキルであり；
Ｚ１およびＺ２は、独立して窒素またはＣＨであるが、ただし、Ｚ１およびＺ２は両方とも窒素ではない；かつ
Ｒ１は任意で置換される５員のヘテロアリール、水素または任意で置換されるアルキルであり；
ここで、任意の置換基はそれぞれ、アルキル、ヘテロアルキル、アルケニル、アルコキシ、ヒドロキシル、アミノ、Ｎ−アルキルアミノ、Ｎ−ジアルキルアミノ、ハロ、ニトロ、シアノ、アシル、カルボキシル、カルボキシルエステル、またはアミドからなる群から選択されるか；または２つの置換基は、それらが結合される原子と一緒に、アルキルまたはアルコキシで任意で置換されるカルボシクリルを形成するか；または２つの置換基は、それらが結合される原子と一緒に、窒素、酸素および硫黄から選択される１つ以上のヘテロ原子を有するヘテロシクリルを形成する；
ｄ）以下のものからなる群から選択される化合物：
３，４−メチレンジオキシケイ皮酸、Ｎ，Ｎ−ジフェニルアミド；Ｎ−（１Ｈ−ピラゾール−５−イル）−Ｎ−（チオフェン−２−イルメチル）−２−（ｐ−トリルオキシ）アセトアミド；
Ｎ−エチル−Ｎ−（チオフェン−２−イルメチル）−２−（ｐ−トリルオキシ）アセトアミド；
２−（２，３−ジヒドロ−１Ｈ−インデン−５−イルオキシ）−Ｎ−（１Ｈ−ピラゾール−３−イル）−Ｎ−（チオフェン−２−イルメチル）アセトアミド；
２−（２，３−ジヒドロ−１Ｈ−インデン−５−イルオキシ）−Ｎ−（１Ｈ−ピラゾール−５−イル）−Ｎ−（チオフェン−２−イルメチル）アセトアミド；
２−（２，３−ジヒドロ−１Ｈ−インデン−５−イルオキシ）−Ｎ−（４−メチル−１Ｈ−ピラゾール−３−イル）−Ｎ−（チオフェン−２−イルメチル）アセトアミド；
２−（２，３−ジヒドロ−１Ｈ−インデン−５−イルオキシ）−Ｎ−（１Ｈ−ピラゾール−４−イル）−Ｎ−（チオフェン−２−イルメチル）アセトアミド；
Ｎ−（オキサゾール−２−イル）−Ｎ−（チオフェン−２−イルメチル）−２−（ｐ−トリルオキシ）アセトアミド；
２−（２，３−ジヒドロ−１Ｈ−インデン−５−イルオキシ）−Ｎ−（３，５−ジメチル−１Ｈ−ピラゾール−４−イル）−Ｎ−（チオフェン−２−イルメチル）アセトアミド；
Ｎ−（３，５−ジメチル−１Ｈ−ピラゾール−４−イル）−Ｎ−（チオフェン−２−イルメチル）−２−（ｐ−トリルオキシ）アセトアミド；
Ｎ−（３−メチル−１Ｈ−ピラゾール−４−イル）−Ｎ−（チオフェン−２−イルメチル）−２−（ｐ−トリルオキシ）アセトアミド；
２−（ベンゾ［ｄ］［１，３］ジオキソール−５−イルオキシ）−Ｎ−（１Ｈ−ピラゾール−５−イル）−Ｎ−（チオフェン−２−イルメチル）アセトアミド；
２−（ベンゾ［ｄ］［１，３］ジオキソール−５−イルオキシ）−Ｎ−（３，５−ジメチル−１Ｈ−ピラゾール−４−イル）−Ｎ−（チオフェン−２−イルメチル）アセトアミド；
４−（Ｎ−（チオフェン−２−イルメチル）−２−（ｐ−トリルオキシ）アセトアミド）−１Ｈ−ピラゾール−２−イウムクロリド；
Ｎ−（１Ｈ−ピラゾール−４−イル）−Ｎ−（チオフェン−２−イルメチル）−２−（ｐ−トリルオキシ）アセトアミド；
Ｎ−（イソオキサゾール−３−イル）−Ｎ−（チオフェン−２−イルメチル）−２−（ｐ−トリルオキシ）アセトアミド；
Ｎ−（１−（シアノメチル）−１Ｈ−ピラゾール−３−イル）−Ｎ−（チオフェン−２−イルメチル）−２−（ｐ−トリルオキシ）アセトアミド；
２−（ベンゾ［ｄ］［１，３］ジオキソール−５−イルオキシ）−Ｎ−（３−メチル−１Ｈ−ピラゾール−４−イル）−Ｎ−（チオフェン−２−イルメチル）アセトアミド；
２−（ベンゾ［ｄ］［１，３］ジオキソール−５−イルオキシ）−Ｎ−（１Ｈ−ピラゾール−４−イル）−Ｎ−（チオフェン−２−イルメチル）アセトアミド；
Ｎ−シクロプロピル−Ｎ−（チオフェン−２−イルメチル）−２−（ｐ−トリルオキシ）アセトアミド；
Ｎ−アリル−Ｎ−（チオフェン−２−イルメチル）−２−（ｐ−トリルオキシ）アセトアミド；
Ｎ−（１Ｈ−ピラゾール−４−イル）−Ｎ−（チオフェン−２−イルメチル）−３−ｐ−トリルプロパンアミド；
２−（４−メトキシフェノキシ）−Ｎ−（１Ｈ−ピラゾール−４−イル）−Ｎ−（チオフェン−２−イルメチル）アセトアミド；
Ｎ−プロピル−Ｎ−（チオフェン−２−イルメチル）−２−（ｐ−トリルオキシ）アセトアミド；
Ｎ−アリル−２−（ベンゾ［ｄ］［１，３］ジオキソール−５−イルオキシ）−Ｎ−（チオフェン−２−イルメチル）アセトアミド；
２−（２，３−ジヒドロ−１Ｈ−インデン−５−イルオキシ）−Ｎ−（ピリジン−３−イル）−Ｎ−（チオフェン−２−イルメチル）アセトアミド；
２−（３−メトキシフェノキシ）−Ｎ−（１Ｈ−ピラゾール−４−イル）−Ｎ−（チオフェン−２−イルメチル）アセトアミド；
Ｎ−（ピリジン−４−イル）−Ｎ−（チオフェン−２−イルメチル）−２−（ｐ−トリルオキシ）アセトアミド；
Ｎ−イソプロピル−Ｎ−（チオフェン−２−イルメチル）−２−（ｐ−トリルオキシ）アセトアミド；
Ｎ−（ビシクロ［２．２．１］ヘプタン−２−イルメチル）−Ｎ−（１Ｈ−ピラゾール−３−イル）−２−（ｐ−トリルオキシ）アセトアミド；
Ｎ−エチル−Ｎ−（チオフェン−３−イルメチル）−２−（ｐ−トリルオキシ）アセトアミド；
２−フェノキシ−Ｎ−フェニル−Ｎ−（チオフェン−２−イルメチル）アセトアミド；
２−（２，３−ジヒドロ−１Ｈ−インデン−５−イルオキシ）−Ｎ−フェニル−Ｎ−（チオフェン−２−イルメチル）アセトアミド；
Ｎ−（ビシクロ［２．２．１］ヘプタン−２−イルメチル）−３−フェニル−Ｎ−（１Ｈ−ピラゾール−３−イル）プロパンアミド；
Ｎ−（ピリジン−３−イル）−Ｎ−（チオフェン−２−イルメチル）−２−（ｐ−トリルオキシ）アセトアミド；
Ｎ−エチル−Ｎ−（（５−メチルチオフェン−２−イル）メチル）−２−（ｐ−トリルオキシ）アセトアミド；実施例５４。
Ｎ２−（４−エチルフェノキシ）−Ｎ−（ピリジン−３−イル）−Ｎ−（チオフェン−２−イルメチル）アセトアミド；
Ｎ−（１−メチル−１Ｈ−ピラゾール−５−イル）−Ｎ−（チオフェン−２−イルメチル）−２−（ｐ−トリルオキシ）アセトアミド；
Ｎ−（ビシクロ［２．２．１］ヘプタン−２−イルメチル）−２−フェノキシ−Ｎ−（１Ｈ−ピラゾール−３−イル）アセトアミド；
２−（ベンゾ［ｄ］［１，３］ジオキソール−５−イルオキシ）−Ｎ−（ピリジン−３−イル）−Ｎ−（チオフェン−２−イルメチル）アセトアミド；
Ｎ−エチル−２−（４−フルオロフェノキシ）−Ｎ−（チオフェン−２−イルメチル）アセトアミド；
Ｎ−ｓｅｃ−ブチル−Ｎ−（チオフェン−２−イルメチル）−２−（ｐ−トリルオキシ）アセトアミド；
２−（４−クロロフェノキシ）−Ｎ−フェニル−Ｎ−（チオフェン−２−イルメチル）アセトアミド；
Ｎ−フェニル−Ｎ−（チアゾール−２−イルメチル）−２−（ｐ−トリルオキシ）アセトアミド；
Ｎ−メチル−Ｎ−（チオフェン−２−イルメチル）−２−（ｐ−トリルオキシ）アセトアミド；
３−（２−（３−メトキシフェノキシ）−Ｎ−（チオフェン−２−イルメチル）アセトアミド）ピリジニウムクロリド；
２−（３−メトキシフェノキシ）−Ｎ−（ピリジン−２−イル）−Ｎ−（チオフェン−２−イルメチル）アセトアミド；
２−（２−イソプロピル−５−メチルフェノキシ）−Ｎ−（１Ｈ−ピラゾール−３−イル）−Ｎ−（チオフェン−２−イルメチル）アセトアミド；
Ｎ−（（５−メチルチオフェン−２−イル）メチル）−Ｎ−フェニル−２−（ｐ−トリルオキシ）アセトアミド；
Ｎ−（ピリジン−２−イル）−Ｎ−（チオフェン−２−イルメチル）−２−（ｍ−トリルオキシ）アセトアミド；
Ｎ−（ピリジン−３−イル）−Ｎ−（チオフェン−２−イルメチル）−２−（ｍ−トリルオキシ）アセトアミド；
２−（３，４−ジメチルフェノキシ）−Ｎ−（ピリジン−２−イル）−Ｎ−（チオフェン−２−イルメチル）アセトアミド；
２−（４−エチルフェノキシ）−Ｎ−（ピリジン−２−イル）−Ｎ−（チオフェン−２−イルメチル）アセトアミド；
２−（３−メトキシフェノキシ）−Ｎ−（ピリジン−３−イル）−Ｎ−（チオフェン−２−イルメチル）アセトアミド；
Ｎ−エチル−３−フェニル−Ｎ−（チオフェン−２−イルメチル）プロパンアミド；
Ｎ−エチル−Ｎ−（チアゾール−５−イルメチル）−２−（ｐ−トリルオキシ）アセトアミド；
（Ｒ）−Ｎ−（３−メチルブタン−２−イル）−２−（３−ニトロフェノキシ）アセトアミド；
Ｎ−エチル−２−フェノキシ−Ｎ−（チオフェン−２−イルメチル）アセトアミド；
（（Ｒ）−Ｎ−（１−ヒドロキシ−３−メチルブタン−２−イル）−Ｎ−イソプロピル−２−（ｍ−トリルオキシ）アセトアミド；
Ｎ−（４−フルオロフェニル）−Ｎ−（チオフェン−２−イルメチル）−２−（ｐ−トリルオキシ）アセトアミド；
２，３，４，６−トリメチル−Ｎ−（ピリジン−２−イル）−Ｎ−（チオフェン−２−イルメチル）ベンゾフラン−２−カルボキサミド；
２−（４−メトキシフェノキシ）−Ｎ−（ピリジン−３−イル）−Ｎ−（チオフェン−２−イルメチル）アセトアミド；
３，５−ジメチル−Ｎ−（ピリジン−２−イル）−Ｎ−（チオフェン−２−イルメチル）ベンゾフラン−２−カルボキサミド；
２−（３−メトキシフェノキシ）−Ｎ−（ピリジン−２−イル）−Ｎ−（チオフェン−２−イルメチル）アセトアミド；
Ｎ−アリル−２−（２−ヒドロキシフェノキシ）−Ｎ−（（５−メチルチオフェン−２−イル）メチル）アセトアミド；
Ｎ−（ピラジン−２−イル）−Ｎ−（チオフェン−２−イルメチル）−２−（ｐ−トリルオキシ）アセトアミド；
２−（４−イソプロピルフェノキシ）−Ｎ−（ピリジン−２−イル）−Ｎ−（チオフェン−２−イルメチル）アセトアミド；
２−（４−フルオロフェノキシ）−Ｎ−（ピリジン−３−イル）−Ｎ−（チオフェン−２−イルメチル）アセトアミド；
Ｎ−ベンジル−Ｎ−エチル−２−（ｐ−トリルオキシ）アセトアミド；
２−（４−クロロフェノキシ）−Ｎ−（ピリジン−２−イル）−Ｎ−（チオフェン−２−イルメチル）アセトアミド；
２−（４−ブロモフェノキシ）−Ｎ−（ピリジン−２−イル）−Ｎ−（チオフェン−２−イルメチル）アセトアミド；
Ｎ−（２−クロロフェニル）−Ｎ−（チオフェン−２−イルメチル）−２−（ｐ−トリルオキシ）アセトアミド；
２−（２−イソプロピル−５−メチルシクロヘキシルオキシ）−Ｎ−（２−（ピリジン−４−イル）エチル）アセトアミド；
Ｎ−（チアゾール−２−イル）−Ｎ−（チオフェン−２−イルメチル）−２−（ｐ−トリルオキシ）アセトアミド；
Ｎ−（シクロヘキシルメチル）−２−（２，４−ジメチルフェノキシ）−Ｎ−（ピリジン−２−イル）アセトアミド；
Ｎ−（フラン−２−イルメチル）−Ｎ−（ピリジン−２−イル）−２−（ｐ−トリルオキシ）アセトアミド；
３，６−ジメチル−Ｎ−（ピリジン−２−イル）−Ｎ−（チオフェン−２−イルメチル）ベンゾフラン−２−カルボキサミド；
２−（３−フルオロフェノキシ）−Ｎ−（ピリジン−３−イル）−Ｎ−（チオフェン−２−イルメチル）アセトアミド；
Ｎ−エチル−Ｎ−（チアゾール−２−イルメチル）−２−（ｐ−トリルオキシ）アセトアミド；
Ｎ−エチル−Ｎ−（３−フルオロベンジル）−２−（ｐ−トリルオキシ）アセトアミド；
３，５，６−トリメチル−Ｎ−（ピリジン−２−イル）−Ｎ−（チオフェン−２−イルメチル）ベンゾフラン−２−カルボキサミド；
Ｎ−（（５−エチルチオフェン−２−イル）メチル）−Ｎ−フェニル−２−（ｐ−トリルオキシ）アセトアミド；
Ｎ−（（５−エチルチオフェン−２−イル）メチル）−Ｎ−フェニル−２−（ｐ−トリルオキシ）アセトアミド；
Ｎ−（ピリミジン−２−イル）−Ｎ−（チオフェン−２−イルメチル）−２−（ｐ−トリルオキシ）アセトアミド；
２−フェノキシ−Ｎ−（ピリジン−３−イル）−Ｎ−（チオフェン−２−イルメチル）アセトアミド；
２−（４−フルオロフェノキシ）−Ｎ−（ピリジン−２−イル）−Ｎ−（チオフェン−２−イルメチル）アセトアミド；
Ｎ−（チオフェン−２−イルメチル）ブタン−１−アミン；
２−（３−クロロフェノキシ）−Ｎ−（ピリジン−２−イル）−Ｎ−（チオフェン−２−イルメチル）アセトアミド；
Ｎ−（（３−メチルチオフェン−２−イル）メチル）−Ｎ−フェニル−２−（ｐ−トリルオキシ）アセトアミド：
２−フェノキシ−Ｎ−（ピリジン−２−イル）−Ｎ−（チオフェン−２−イルメチル）アセトアミド：
（Ｅ）−３−（ベンゾ［ｄ］［１，３］ジオキソール−５−イル）−Ｎ−（１Ｈ−ピラゾール−５−イル）−Ｎ−（チオフェン−２−イルメチル）アクリルアミド；
（Ｅ）−Ｎ−（５−メチル−１Ｈ−ピラゾール−４−イル）−Ｎ−（チオフェン−２−イルメチル）−３−ｐ−トリルアクリルアミド；
（Ｅ）−Ｎ−（１Ｈ−ピラゾール−５−イル）−Ｎ−（チオフェン−２−イルメチル）−３−ｐ−トリルアクリルアミド；
（Ｅ）−Ｎ−（１Ｈ−ピラゾール−４−イル）−Ｎ−（チオフェン−２−イルメチル）−３−ｐ−トリルアクリルアミド；
（Ｅ）−３−ｐ−トリルアクリロイルクロリド；
Ｎ−（チオフェン−２−イルメチル）−１Ｈ−ピラゾール−４−アミン；
（Ｅ）−３−（ベンゾ［ｄ］［１，３］ジオキソール−５−イル）−Ｎ−（１Ｈ−ピラゾール−４−イル）−Ｎ−（チオフェン−２−イルメチル）アクリルアミド；
（Ｅ）−Ｎ−（３，５−ジメチル−１Ｈ−ピラゾール−４−イル）−Ｎ−（チオフェン−２−イルメチル）−３−ｐ−トリルアクリルアミド；
（Ｅ）−３−（ベンゾ［ｄ］［１，３］ジオキソール−５−イル）−Ｎ−（５−メチル−１Ｈ−ピラゾール−４−イル）−Ｎ−（チオフェン−２−イルメチル）アクリルアミド；
（Ｅ）−３−（ベンゾ［ｄ］［１，３］ジオキソール−５−イル）−Ｎ−シクロプロピル−Ｎ−（チオフェン−２−イルメチル）アクリルアミド；
（Ｅ）−３−（ベンゾ［ｄ］［１，３］ジオキソール−５−イル）−Ｎ−エチル−Ｎ−（チオフェン−２−イルメチル）アクリルアミド；
（Ｅ）−３−（ベンゾ［ｄ］［１，３］ジオキソール−５−イル）−Ｎ−（３，５−ジメチル−１Ｈ−ピラゾール−４−イル）−Ｎ−（チオフェン−２−イルメチル）アクリルアミド；
（Ｅ）−Ｎ−エチル−Ｎ−（チオフェン−２−イルメチル）−３−ｐ−トリルアクリルアミド；
（Ｅ）−３−（４−メトキシフェニル）−Ｎ−（１Ｈ−ピラゾール−４−イル）−Ｎ−（チオフェン−２−イルメチル）アクリルアミド；
（Ｅ）−３−（４−メトキシフェニル）−Ｎ−（１Ｈ−ピラゾール−５−イル）−Ｎ−（チオフェン−２−イルメチル）アクリルアミド；
Ｎ−（１Ｈ−ピラゾール−５−イル）−Ｎ−（チオフェン−２−イルメチル）−３−ｐ−トリルプロパンアミド；
Ｎ−（３，５−ジメチル−１Ｈ−ピラゾール−４−イル）−Ｎ−（チオフェン−２−イルメチル）シンナムアミド；
Ｎ−（１Ｈ−ピラゾール−５−イル）−Ｎ−（チオフェン−２−イルメチル）シンナムアミド；
Ｎ−（１Ｈ−ピラゾール−４−イル）−Ｎ−（チオフェン−２−イルメチル）シンナムアミド；
（Ｅ）−３−（２，３−ジヒドロ−１Ｈ−インデン−５−イル）−Ｎ−（３，５−ジメチル−１Ｈ−ピラゾール−４−イル）−Ｎ−（チオフェン−２−イルメチル）アクリルアミド；
（（Ｅ）−３−（ベンゾ［ｄ］［１，３］ジオキソール−５−イル）−Ｎ−（ピリジン−３−イル）−Ｎ−（チオフェン−２−イルメチル）アクリルアミド；
（＋／−）（Ｅ）−２−フェニル−Ｎ−（１Ｈ−ピラゾール−４−イル）−Ｎ−（チオフェン−２−イルメチル）シクロプロパンカルボキサミド；
（Ｅ）−３−（ベンゾ［ｄ］［１，３］ジオキソール−５−イル）−Ｎ−（ピリジン−２−イル）−Ｎ−（チオフェン−２−イルメチル）アクリルアミド；
２−フェノキシ−Ｎ−（１Ｈ−ピラゾール−５−イル）−Ｎ−（チオフェン−２−イルメチル）アセトアミド；
（Ｅ）−３−（２，３−ジヒドロ−１Ｈ−インデン−５−イル）−Ｎ−（１Ｈ−ピラゾール−５−イル）−Ｎ−（チオフェン−２−イルメチル）アクリルアミド；
（Ｅ）−３−（２，３−ジヒドロ−１Ｈ−インデン−５−イル）−Ｎ−（５−メチル−１Ｈ−ピラゾール−４−イル）−Ｎ−（チオフェン−２−イルメチル）アクリルアミド；
Ｎ−（ビシクロ［２．２．１］ヘプタン−２−イル）−Ｎ−（１Ｈ−ピラゾール−５−イル）シンナムアミド；
Ｎ−エチル−Ｎ−（チオフェン−２−イルメチル）シンナムアミド；
２−（２，３−ジヒドロ−１Ｈ−インデン−５−イルオキシ）−Ｎ−エチル−Ｎ−（チアゾール−５−イルメチル）アセトアミド；
２−（２，３−ジヒドロ−１Ｈ−インデン−５−イルオキシ）−Ｎ−エチル−Ｎ−（チアゾール−５−イルメチル）アセトアミド；
２−（ベンゾ［ｄ］［１，３］ジオキソール−５−イルオキシ）−Ｎ−フェニル−Ｎ−（チオフェン−２−イルメチル）アセトアミド；
Ｎ−アリル−Ｎ−（チオフェン−２−イルメチル）シンナムアミド；
（＋／−）（Ｅ）−Ｎ−エチル−２−フェニル−Ｎ−（チオフェン−２−イルメチル）シクロプロパンカルボキサミド；
（Ｅ）−Ｎ−（ビシクロ［２．２．１］ヘプタン−２−イル）−Ｎ−（１Ｈ−ピラゾール−５−イル）−３−ｐ−トリルアクリルアミド；
Ｎ−（ビシクロ［２．２．１］ヘプタン−２−イル）−２−（２，３−ジヒドロ−１Ｈ−インデン−５−イルオキシ）−Ｎ−（１Ｈ−ピラゾール−５−イル）アセトアミド；
Ｎ−（ビシクロ［２．２．１］ヘプタ−５−エン−２−イルメチル）−Ｎ−（１Ｈ−ピラゾール−５−イル）−２−（ｐ−トリルオキシ）アセトアミド；
２−（シクロヘキシルオキシ）−Ｎ−（１Ｈ−ピラゾール−５−イル）−Ｎ−（チオフェン−２−イルメチル）アセトアミド；
Ｎ−（ビシクロ［２．２．１］ヘプタン−２−イル）−２−（シクロヘキシルオキシ）−Ｎ−（１Ｈ−ピラゾール−５−イル）アセトアミド；
３，４，６−トリメチル−Ｎ−（ピリジン−２−イル）−Ｎ−（チオフェン−２−イルメチル）ベンゾフラン−２−カルボキサミド；
２−（２，３−ジヒドロ−１Ｈ−インデン−５−イルオキシ）−Ｎ−エチル−Ｎ−（（５−メチルチオフェン−２−イル）メチル）アセトアミド；
（Ｅ）−Ｎ−フェニル−Ｎ−（チオフェン−２−イルメチル）−３−ｐ−トリルアクリルアミド；
Ｎ−フェニル−Ｎ−（チオフェン−２−イルメチル）シンナムアミド；
Ｎ−（ピリジン−２−イル）−Ｎ−（チオフェン−２−イルメチル）シンナムアミド；
（＋／−）（Ｅ）−Ｎ，２−ジフェニル−Ｎ−（チオフェン−２−イルメチル）シクロプロパンカルボキサミド；
３，５−ジメチル−Ｎ−（ピリジン−２−イル）−Ｎ−（チオフェン−２−イルメチル）ベンゾフラン−２−カルボキサミド；
Ｎ−（ビシクロ［２．２．１］ヘプタン−２−イル）−Ｎ−（１Ｈ−ピラゾール−５−イル）−３−ｐ−トリルプロパンアミド；
（Ｅ）−Ｎ−アリル−３−（７−クロロベンゾ［ｄ］［１，３］ジオキソール−５−イル）−Ｎ−（チオフェン−２−イルメチル）アクリルアミド；
Ｎ−（ピリジン−３−イル）−Ｎ−（チオフェン−２−イルメチル）シンナムアミド；
３，６−ジメチル−Ｎ−（ピリジン−２−イル）−Ｎ−（チオフェン−２−イルメチル）ベンゾフラン−２−カルボキサミド；
（Ｅ）−３−（ベンゾ［ｄ］［１，３］ジオキソール−５−イル）−Ｎ，Ｎ−ビス（チオフェン−２−イルメチル）アクリルアミド；
２−（ベンゾ［ｄ］［１，３］ジオキソール−５−イルオキシ）−Ｎ−フェニル−Ｎ−（チオフェン−２−イルメチル）アセトアミド；
２−（２，３−ジヒドロ−１Ｈ−インデン−５−イルオキシ）−Ｎ−エチル−Ｎ−（チオフェン−２−イルメチル）アセトアミド；
２−（２−ヒドロキシ−４−メチルフェノキシ）−Ｎ−（１Ｈ−ピラゾール−５−イル）−Ｎ−（チオフェン−２−イルメチル）アセトアミド；
Ｎ−エチル−２−（２−ヒドロキシ−４−メチルフェノキシ）−Ｎ−（チオフェン−２−イルメチル）アセトアミド；
Ｎ−フェニル−Ｎ−（チオフェン−２−イルメチル）−２−（ｐ−トリルオキシ）アセトアミド；
２−（２，３−ジヒドロベンゾ［ｂ］［１，４］ジオキシン−６−イルオキシ）−Ｎ−フェニル−Ｎ−（チオフェン−２−イルメチル）アセトアミド；
２−（３−メトキシフェノキシ）−Ｎ−フェニル−Ｎ−（チオフェン−２−イルメチル）アセトアミド；
２−（４−メトキシフェノキシ）−Ｎ−フェニル−Ｎ−（チオフェン−２−イルメチル）アセトアミド；
２−（４−フルオロフェノキシ）−Ｎ−フェニル−Ｎ−（チオフェン−２−イルメチル）アセトアミド；
２−（ベンゾ［ｄ］［１，３］ジオキソール−５−イルオキシ）−Ｎ−エチル−Ｎ−（チオフェン−２−イルメチル）アセトアミド；
Ｎ−エチル−２−（３−メトキシフェノキシ）−Ｎ−（チオフェン−２−イルメチル）アセトアミド；
Ｎ−フェニル−Ｎ−（チオフェン−２−イルメチル）−２−（ｍ−トリルオキシ）アセトアミド；
Ｎ−エチル−Ｎ−（フラン−３−イルメチル）−２−（ｐ−トリルオキシ）アセトアミド；
Ｎ−エチル−２−（４−メトキシフェノキシ）−Ｎ−（チオフェン−２−イルメチル）アセトアミド；
Ｎ−エチル−Ｎ−（チオフェン−２−イルメチル）−２−（ｏ−トリルオキシ）アセトアミド；
２−（３−フルオロフェノキシ）−Ｎ−フェニル−Ｎ−（チオフェン−２−イルメチル）アセトアミド；
２−（ベンゾ［ｄ］［１，３］ジオキソール−５−イルオキシ）−Ｎ−エチル−Ｎ−（フラン−３−イルメチル）アセトアミド；
Ｎ−エチル−３−（４−メトキシフェニル）−Ｎ−（チオフェン−２−イルメチル）プロパンアミド；
Ｎ−エチル−Ｎ−（チオフェン−２−イルメチル）−２−（ｍ−トリルオキシ）アセトアミド；
Ｎ−（ピリジン−２−イル）−Ｎ−（チオフェン−２−イルメチル）−２−（ｐ−トリルオキシ）アセトアミド；
Ｎ−エチル−２−（２−ヒドロキシフェノキシ）−Ｎ−（チオフェン−２−イルメチル）アセトアミド；
２−（４−エチルフェノキシ）−Ｎ−フェニル−Ｎ−（チオフェン−２−イルメチル）アセトアミド；
２−（３，４−ジメチルフェノキシ）−Ｎ−フェニル−Ｎ−（チオフェン−２−イルメチル）アセトアミド；
２−（ベンゾ［ｄ］［１，３］ジオキソール−５−イルオキシ）−Ｎ−（ピリジン−２−イル）−Ｎ−（チオフェン−２−イルメチル）アセトアミド；
２−（３−クロロフェノキシ）−Ｎ−フェニル−Ｎ−（チオフェン−２−イルメチル）アセトアミド；
Ｎ−エチル−３−（４−フルオロフェニル）−Ｎ−（チオフェン−２−イルメチル）プロパンアミド；
２−（２−ヒドロキシフェノキシ）−Ｎ−フェニル−Ｎ−（チオフェン−２−イルメチル）アセトアミド；
Ｎ−（ピリジン−２−イル）−Ｎ−（チオフェン−２−イルメチル）−２−（ｐ−トリルオキシ）アセトアミド；
Ｎ−エチル−Ｎ−（フラン−２−イルメチル）−２−（ｐ−トリルオキシ）アセトアミド；
Ｎ−エチル−Ｎ−（チオフェン−２−イルメチル）−３−ｏ−トリルプロパンアミド；
２−（２−フルオロフェノキシ）−Ｎ−フェニル−Ｎ−（チオフェン−２−イルメチル）アセトアミド；
Ｎ−フェニル−Ｎ−（チオフェン−２−イルメチル）−２−（ｏ−トリルオキシ）アセトアミド；
Ｎ−エチル−２−（３−フルオロフェノキシ）−Ｎ−（チオフェン−２−イルメチル）アセトアミド；
２−（ベンゾ［ｄ］［１，３］ジオキソール−５−イルオキシ）−Ｎ−エチル−Ｎ−（フラン−２−イルメチル）アセトアミド；
２−（２−クロロフェノキシ）−Ｎ−フェニル−Ｎ−（チオフェン−２−イルメチル）アセトアミド；
２−（４−イソプロピルフェノキシ）−Ｎ−フェニル−Ｎ−（チオフェン−２−イルメチル）アセトアミド；
Ｎ−ベンジル−Ｎ−フェニル−２−（ｐ−トリルオキシ）アセトアミド；
Ｎ−エチル−３−（３−フルオロフェニル）−Ｎ−（チオフェン−２−イルメチル）プロパンアミド；
Ｎ−（ピリジン−２−イル）−Ｎ−（チオフェン−２−イルメチル）−２−（ｐ−トリルオキシ）プロパンアミド；
Ｎ−エチル−Ｎ−（チオフェン−２−イルメチル）−２−（ｐ−トリルオキシ）プロパンアミド；
Ｎ−ベンジル−Ｎ−フェニル−２−（ｐ−トリルオキシ）アセトアミド；
Ｎ−エチル−３−（３−フルオロフェニル）−Ｎ−（チオフェン−２−イルメチル）プロパンアミド；
Ｎ−エチル−Ｎ−（チオフェン−２−イルメチル）−３−ｍ−トリルプロパンアミド；
Ｎ−フェニル−Ｎ−（チオフェン−２−イルメチル）ベンゾフラン−２−カルボキサミド；
Ｎ−エチル−Ｎ−（チオフェン−２−イルメチル）ベンゾフラン−２−カルボキサミド；
２−（４−シアノフェノキシ）−Ｎ−エチル−Ｎ−（チオフェン−２−イルメチル）アセトアミド；
Ｎ−（１−メチル−１Ｈ−イミダゾール−２−イル）−Ｎ−（チオフェン−２−イルメチル）−２−（ｐ−トリルオキシ）アセトアミド；
Ｎ−エチル−３−（４−メトキシフェニル）−Ｎ−（チオフェン−２−イルメチル）プロパンアミド；
Ｎ−エチル−２−（２−フルオロフェノキシ）−Ｎ−（チオフェン−２−イルメチル）アセトアミド；
２−（４−（ヒドロキシメチル）フェノキシ）−Ｎ−フェニル−Ｎ−（チオフェン−２−イルメチル）アセトアミド；
Ｎ−シクロヘキシル−Ｎ−フェニル−２−（ｐ−トリルオキシ）アセトアミド；
２−（６−メチル−４−オキソ−４Ｈ−クロメン−２−イルオキシ）−Ｎ−フェニル−Ｎ−（チオフェン−２−イルメチル）アセトアミド；
Ｎ−エチル−３−（４−オキソ−３，４−ジヒドロキナゾリン−２−イル）−Ｎ−（チオフェン−２−イルメチル）プロパンアミド；
２−（４−ヒドロキシフェノキシ）−Ｎ−フェニル−Ｎ−（チオフェン−２−イルメチル）アセトアミド；
２−（４−シアノフェノキシ）−Ｎ−フェニル−Ｎ−（チオフェン−２−イルメチル）アセトアミド；
Ｎ−プロピル−Ｎ−（チオフェン−２−イルメチル）−２−（ｐ−トリルオキシ）アセトアミド；
Ｎ−（ピリジン−２−イル）−Ｎ−（チオフェン−２−イルメチル）−３−ｐ−トリルプロパンアミド；
２−（ベンジルオキシ）−Ｎ−フェニル−Ｎ−（チオフェン−２−イルメチル）アセトアミド；
Ｎ−フェニル−Ｎ−（ピリジン−４−イルメチル）−２−（ｐ−トリルオキシ）アセトアミド；
Ｎ−エチル−２−メチル−Ｎ−（チオフェン−２−イルメチル）−２−（ｐ−トリルオキシ）プロパンアミド；
Ｎ−フェニル−Ｎ−（ピリジン−４−イルメチル）−２−（ｐ−トリルオキシ）アセトアミド；
Ｎ−エチル−２−メチル−Ｎ−（チオフェン−２−イルメチル）−２−（ｐ−トリルオキシ）プロパンアミド；
２−（２−ヒドロキシ−４−メチルフェノキシ）−Ｎ−（１Ｈ−ピラゾール−４−イル）−Ｎ−（チオフェン−２−イルメチル）アセトアミド；
（Ｅ）−Ｎ−エチル−３−（４−メトキシフェニル）−Ｎ−（チオフェン−２−イルメチル）アクリルアミド；
（Ｅ）−Ｎ−エチル−Ｎ−（フラン−３−イルメチル）−３−ｐ−トリルアクリルアミド；
（Ｅ）−Ｎ−エチル−Ｎ−（チオフェン−２−イルメチル）−３−ｏ−トリルアクリルアミド；
（Ｅ）−３−（ベンゾ［ｄ］［１，３］ジオキソール−５−イル）−Ｎ−エチル−Ｎ−（フラン−３−イルメチル）アクリルアミド；
（Ｅ）−３−（２，３−ジヒドロベンゾフラン−５−イル）−Ｎ−エチル−Ｎ−（チオフェン−２−イルメチル）アクリルアミド；
（Ｅ）−３−（２，３−ジヒドロベンゾ［ｂ］［１，４］ジオキシン−６−イル）−Ｎ−エチル−Ｎ−（チオフェン−２−２５イルメチル）アクリルアミド；
Ｎ−エチル−５−メチル−Ｎ−（チオフェン−２−イルメチル）ベンゾフラン−２−カルボキサミド；
Ｎ−エチル−Ｎ−（チオフェン−２−イルメチル）−３−ｐ−トリルプロパンアミド；
（Ｅ）−Ｎ−エチル−３−（４−フルオロフェニル）−Ｎ−（チオフェン−２−イルメチル）アクリルアミド；
（Ｅ）−３−（２，３−ジヒドロ−１Ｈ−インデン−５−イル）−Ｎ−エチル−Ｎ−（フラン−３−イルメチル）アクリルアミド；
（Ｅ）−Ｎ−エチル−３−（５−メチルチオフェン−２−イル）−Ｎ−（チオフェン−２−イルメチル）アクリルアミド；
（Ｅ）−３−（ベンゾ［ｄ］［１，３］ジオキソール−５−イル）−Ｎ−エチル−Ｎ−（フラン−２−イルメチル）アクリルアミド；
（Ｅ）−３−（２，３−ジヒドロ−１Ｈ−インデン−５−イル）−Ｎ−エチル−Ｎ−（チオフェン−２−イルメチル）アクリルアミド；
（Ｅ）−Ｎ−エチル−３−（３−ヒドロキシ−４−メトキシフェニル）−Ｎ−（チオフェン−２−イルメチル）アクリルアミド；
（Ｅ）−Ｎ−エチル−Ｎ−（フラン−２−イルメチル）−３−ｐ−トリルアクリルアミド；
（Ｅ）−Ｎ−エチル−３−（２−フルオロフェニル）−Ｎ−（チオフェン−２−イルメチル）アクリルアミド；
（Ｅ）−Ｎ−エチル−Ｎ−（チオフェン−２−イルメチル）−３−ｍ−トリルアクリルアミド；
（Ｅ）−Ｎ−エチル−３−（３−メトキシフェニル）−Ｎ−（チオフェン−２−イルメチル）アクリルアミド；
（Ｅ）−３−（２，２−ジフルオロベンゾ［ｄ］［１，３］ジオキソール−５−イル）−Ｎ−エチル−Ｎ−（チオフェン−２−イルメチル）アクリルアミド；
（Ｅ）−Ｎ−エチル−３−（３−フルオロフェニル）−Ｎ−（チオフェン−２−イルメチル）アクリルアミド；
（Ｅ）−Ｎ−エチル−３−（５−メチルフラン−２−イル）−Ｎ−（チオフェン−２−イルメチル）アクリルアミド；
（Ｅ）−３−（４−シアノフェニル）−Ｎ−エチル−Ｎ−（チオフェン−２−イルメチル）アクリルアミド；
（Ｅ）−Ｎ−エチル−３−（チオフェン−２−イル）−Ｎ−（チオフェン−２−イルメチル）アクリルアミド；
（Ｅ）−３−（２−シアノフェニル）−Ｎ−エチル−Ｎ−（チオフェン−２−イルメチル）アクリルアミド；
（Ｅ）−３−（２，３−ジヒドロ−１Ｈ−インデン−５−イル）−Ｎ−エチル−Ｎ−（フラン−２−イルメチル）アクリルアミド；
３−（２，３−ジヒドロ−１Ｈ−インデン−５−イル）−Ｎ−エチル−Ｎ−（チオフェン−２−イルメチル）プロパンアミド；
（Ｅ）−Ｎ−エチル−Ｎ−（チオフェン−２−イルメチル）−３−（チオフェン−３−イル）アクリルアミド；
（Ｅ）−３−（３−シアノフェニル）−Ｎ−エチル−Ｎ−（チオフェン−２−イルメチル）アクリルアミド；
（Ｅ）−Ｎ−エチル−３−（４−ヒドロキシフェニル）−Ｎ−（チオフェン−２−イルメチル）アクリルアミド；
（Ｅ）−Ｎ−エチル−３−（１−メチル−１Ｈ−ピロール−２−イル）−Ｎ−（チオフェン−２−イルメチル）アクリルアミド；
（Ｅ）−Ｎ−エチル−３−（１−メチル−１Ｈ−ピロール−２−イル）−Ｎ−（チオフェン−２−イルメチル）アクリルアミド；
（Ｅ）−Ｎ−エチル−３−（２−メトキシフェニル）−Ｎ−（チオフェン−２−イルメチル）アクリルアミド；
（Ｅ）−Ｎ−エチル−３−（３−ヒドロキシフェニル）−Ｎ−（チオフェン−２−イルメチル）アクリルアミド；
２−（３−シアノフェノキシ）−Ｎ−フェニル−Ｎ−（チオフェン−２−イルメチル）アセトアミド；
２−ブロモ−Ｎ−フェニル−Ｎ−（チオフェン−２−イルメチル）アセトアミド；
Ｎ−エチル−２−（２−ヒドロキシ−５−メチルフェノキシ）−Ｎ−（チオフェン−２−イルメチル）アセトアミド；
Ｎ−エチル−２−（３−フルオロ−４−メチルフェノキシ）−Ｎ−（チオフェン−２−イルメチル）アセトアミド；
２−（３−フルオロ−４−メチルフェノキシ）−Ｎ−フェニル−Ｎ−（チオフェン−２−イルメチル）アセトアミド；
２−（４−フルオロ−３−メチルフェノキシ）−Ｎ−フェニル−Ｎ−（チオフェン−２−イルメチル）アセトアミド；
２−（５−メチルピリジン−２−イルオキシ）−Ｎ−フェニル−Ｎ−（チオフェン−２−イルメチル）アセトアミド；
２−（３−フルオロ−４−メトキシフェノキシ）−Ｎ−フェニル−Ｎ−（チオフェン−２−イルメチル）アセトアミド；
２−（６−メチルピリジン−２−イルオキシ）−Ｎ−フェニル−Ｎ−（チオフェン−２−イルメチル）アセトアミド；
２−（６−メチルピリジン−３−イルオキシ）−Ｎ−フェニル−Ｎ−（チオフェン−２−イルメチル）アセトアミド；
Ｎ−フェニル−Ｎ−（チオフェン−２−イルメチル）−２−（４−（トリフルオロメチル）フェノキシ）アセトアミド；
Ｎ−フェニル−Ｎ−（チオフェン−２−イルメチル）−２−（チオフェン−２−イルオキシ）アセトアミド；
２−（４−アリル−２−メトキシフェノキシ）−Ｎ−フェニル−Ｎ−（チオフェン−２−イルメチル）アセトアミド；
およびｅ）以下のものからなる群から選択される化合物：
ＷＳ−２３（２−イソプロピル−Ｎ，２，３−トリメチルブチルアミド）、ＦＥＭＡ３８０４；ＷＳ−３（Ｎ−エチル−ｐ−メンタン−３−カルボキサミド）、ＦＥＭＡ３４５５；ＷＳ−５［エチル３−（ｐ−メンタン−３−カルボキサミド）アセテート］、ＦＥＭＡ４３０９；ＷＳ−１２（１Ｒ，２Ｓ，５Ｒ）−Ｎ−（４−メトキシフェニル）−ｐ−メンタンカルボキサミド、ＦＥＭＡ４６８１；ＷＳ−２７（Ｎ−エチル−２，２−ジイソプロピルブタンアミド）、ＦＥＭＡ４５５７；Ｎ−シクロプロピル−５−メチル−２−イソプロピルシクロヘキサンカルボキサミド、ＦＥＭＡ４６９３、ＷＳ−１１６（Ｎ−（１，１−ジメチル−２−ヒドロキシエチル）−２，２−ジエチルブタンアミド）、ＦＥＭＡ４６０３；メントキシエタノール、ＦＥＭＡ４１５４；Ｎ−（４−シアノメチルフェニル）−ｐ−メンタンカルボキサミド、ＦＥＭＡ４４９６；Ｎ−（２−（ピリジン−２−イル）エチル）−３−ｐ−メンタンカルボキサミド、ＦＥＭＡ４５４９；Ｎ−（２−ヒドロキシエチル）−２−イソプロピル−２，３−ジメチルブタンアミド、ＦＥＭＡ４６０２および（またＮ−（４−（カルバモイルメチル）フェニル）−メチルカルボキサミド、ＦＥＭＡ４６８４；（１Ｒ，２Ｓ，５Ｒ）−Ｎ−（４−メトキシフェニル）−ｐ−メンタンカルボキサミド（ＷＳ−１２）、ＦＥＭＡ４６８１；（２Ｓ，５Ｒ）−Ｎ−［４−（２−アミノ−２−オキソエチル）フェニル］−ｐ−メンタンカルボキサミド、ＦＥＭＡ４６８４；およびＮ−シクロプロピル−５−メチル−２−イソプロピルシクロヘキサンカルボンカルボキサミド、ＦＥＭＡ４６９３；２−［（２−ｐ−メントキシ）エトキシ］エタノール、ＦＥＭＡ４７１８、（２，６−ジエチル−５−イソプロピル−２−メチルテトラヒドロピラン、ＦＥＭＡ４６８０）；トランス−４−ｔｅｒｔ−ブチルシクロヘキサノール、ＦＥＭＡ４７２４；（−）−メントール、ＦＥＭＡ２６６５；イソプレゴール、ＦＥＭＡ２９６２；（−）−メンチルラクテート、ＦＥＭＡ３７４８３；−（（−）−メントキシ）プロパン−１，２−ジオール、ＦＥＭＡ３７８４；（−）−メンチルエチレングリコールカーボネート、ＦＥＭＡ３８０５；（−）−メントン１，２−グリセロールケタール、ＦＥＭＡ３８０７；（ラセミ体）＝ＤＬ−メントン１，２−グリセロールケタール、ＦＥＭＡ３８０８；（−）−メンチルスクシネート、ＦＥＭＡ３８１０；（−）−メンチル１＆２プロピレングリコールカーボネート、ＦＥＭＡ３８０６；（ラセミ体）＝ＤＬ−メンチル１＆２プロピレングリコールカーボネート、ＦＥＭＡ３９９２；メンチルグルタレート、ＦＥＭＡ４００６；（＋）−シス＆（−）−トランスｐ−メンタン−３，８−ジオール、ＦＥＭＡ４０５３；メンチルピロリドンカルボキシレート、ＦＥＭＡ４１５５；Ｎ，Ｎ−ジメチル（−）−メンチルスクシンアミド、ＦＥＭＡ４２３０；（−）−メントン（Ｓ）−乳酸ケタール、ＦＥＭＡ；４２８５；（−）−メンチル（Ｓ）−３−ヒドロキシブチラート、ＦＥＭＡ４３０８；（−）−メンチルアセトアセテートＦＥＭＡ４３２７；（１Ｒ，２Ｓ，５Ｒ）−Ｎ−（４−（シアノメチル）フェニル）メンチルカルボキサミド、ＦＥＭＡ４４９６；（−）−クベボール＝（１Ｒ，４Ｓ，５Ｒ，６Ｒ，７Ｓ，１０Ｒ）−７−イソプロピル−４，１０−ジメチル−トリシクロ［４．４．０．０（１，５）］デカン−４−オール、ＦＥＭＡ４４９７；１Ｒ，２Ｓ，５Ｒ）−Ｎ−（２−（ピリジン−２−イル）エチル）メンチルカルボキサミド、ＦＥＭＡ４５４９；Ｎ−（２−ヒドロキシエチル）−２，３−ジメチル−２−イソプロピルブタンアミド、ＦＥＭＡ４６０２；ジ−（−）−メンチルグルタレート、ＦＥＭＡ４６０４；（１Ｒ，２Ｓ，５Ｒ）−Ｎ−（４−（カルバモイルメチル）フェニル）−メチルカルボキサミド、ＦＥＭＡ４６８４；２−［２−（ｐ−メンタン−３−イルオキシ）エトキシ］エタノール＝（１Ｒ，２Ｓ，５Ｒ）−２−［２−（２−イソプロピル−５−メチル−シクロヘキシルオキシ）エトキシ］−エタノール、ＦＥＭＡ４７１８；（１Ｒ，２Ｒ，４Ｒ）−１−（２−ヒドロキシ−４−メチルシクロヘキシル）エタノン、ＦＥＭＡ４７４２；および２−（ｐ−トリルオキシ）−Ｎ−（１Ｈ−ピラゾール−５−イル）−Ｎ−（（チオフェン−２−イル）メチル）アセトアミド、ＦＥＭＡ４８０９。
【００１０】
式Ｉの一実施形態では、Ａｒは任意で置換されるフェニルである。
【００１１】
式Ｉの別の実施形態では、Ａｒは、任意で置換されるヘテロアリールであり、前記ヘテロアリールは、窒素、酸素および硫黄から選択される１個以上のヘテロ原子を含む５員または６員のヘテロアリールであり、より具体的には、Ａｒは、ピロリル、フラニル、チエニル、ピラゾリル、トリアゾリル、オキサゾリル、チアゾリル、イソオキサゾリル、イソチアゾリル、ピリジル、ピリミジルおよびトリアジニルからなる群から選択される任意で置換される基である。
【００１２】
さらに別の実施形態では、式Ｉの任意の置換基がそれぞれ、アルキル、アルコキシ、ヒドロキシル、ハロ、ニトロおよびシアノからなる群から選択されるか；または２つの置換基が、それらが結合される原子と一緒に、窒素、酸素および硫黄から選択される１つ以上のヘテロ原子を含むヘテロシクリルを形成する、式Ｉの化合物が提供される。
【００１３】
一実施形態では、Ｒ２ｂ、Ｒ３およびＲ４が水素である式Ｉの化合物が本明細書で提供される。
【００１４】
一実施形態では、Ｒ１がメチル、エチルまたはプロピルである式Ｉの化合物が本明細書で提供される。別の実施形態では、Ｒ１がピロリル、フラニル、チエニル、ピラゾリル、トリアゾリル、オキサゾリルおよびチアゾリルからなる群から選択される任意で置換される基である式Ｉの化合物が本明細書で提供される。
【００１５】
さらに別の実施形態では、Ｘ１−Ｘ２がＯ−ＣＨ２、Ｏ−ＣＨ（ＣＨ３）またはＯ−ＣＨ（ＣＨ２ＣＨ３）である式Ｉの化合物が本明細書で提供される。さらなる実施形態では、Ｘ１−Ｘ２がＣＨ−ＣＨである式Ｉの化合物が本明細書で提供される。
【００１６】
式ＩＩの一実施形態では、Ａｒが任意で置換されるアリールであり、かつＸ１−Ｘ２がＯ−ＣＲ２ａ−Ｒ２ｂ、ＣＨ２−ＣＨ２またはＣＨ＝ＣＨである化合物が提供される。
【００１７】
一実施形態では、Ａｒが任意で置換されるフェニルである式ＩＩの化合物が提供される。
【００１８】
一実施形態では、Ａｒが任意で置換されるヘテロアリールであり、Ｘ１−Ｘ２がＯ−ＣＲ２ａ−Ｒ２ｂ、ＣＨ２−ＣＨ２またはＣＨ＝ＣＨである式ＩＩの化合物が提供される。
【００１９】
一実施形態では、Ｚ１およびＺ２がＣＨである式ＩＩの化合物が提供される。
【００２０】
一実施形態では、Ｒ２ａおよびＲ２ｂが水素である式ＩＩの化合物が提供される。
【００２１】
別の実施形態では、Ｒ１がピロリル、フラニル、チエニル、ピラゾリル、トリアゾリル、オキサゾリルおよびチアゾリルからなる群から選択される任意で置換される基である式Ｉの化合物が本明細書で提供される。
【００２２】
さらに別の実施形態では、Ｘ１−Ｘ２がＯ−ＣＨ２、Ｏ−ＣＨ（ＣＨ３）またはＯ−ＣＨ（ＣＨ２ＣＨ３）である式Ｉの化合物が本明細書で提供される。
【００２３】
さらなる実施態様では、Ｘ１−Ｘ２がＣＨ−ＣＨである式Ｉの化合物が本明細書で提供される。
【００２４】
別の実施形態によれば、本明細書で使用するための化合物は、Ｎ−（１Ｈ−ピラゾール−５−イル）−Ｎ−（チオフェン−２−イルメチル）−２−（ｐ−トリルオキシ）アセトアミドおよび２−（２，３−ジヒドロ−１Ｈ−インデン−５−イルオキシ）−Ｎ−（１Ｈ−ピラゾール−５−イル）−Ｎ−（チオフェン−２−イルメチル）アセトアミドから選択されるアミドである。
【００２５】
さらなる実施形態では、本明細書で使用するための化合物は、Ｎ−（１Ｈ−ピラゾール−５−イル）−Ｎ−（チオフェン−２−イルメチル）−２−（ｐ−トリルオキシ）アセトアミド、３，４−メチレンジオキシケイ皮酸、Ｎ，Ｎ−ジフェニルアミドおよびそれらの混合物から選択されるアミドである。
【００２６】
さらなる実施形態では、本明細書で使用するための化合物は、Ｎ−（１Ｈ−ピラゾール−５−イル）−Ｎ−（チオフェン−２−イルメチル）−２−（ｐ−トリルオキシ）アセトアミドである。
【００２７】
さらに別の実施形態では、本明細書で使用するための化合物は、２−（２，３−ジヒドロ−１Ｈ−インデン−５−イルオキシ）−Ｎ−（１Ｈ−ピラゾール−５−イル）−Ｎ−（チオフェン−２−イルメチル）アセトアミドである。一実施形態では、本明細書で使用するための化合物は、ＷＳ−２３（２−イソプロピル−Ｎ，２，３−トリメチルブチルアミド）、ＦＥＭＡ３８０４；ＷＳ−３（Ｎ−エチル−ｐ−メンタン−３−カルボキサミド）、ＦＥＭＡ３４５５；ＷＳ−５［エチル３−（ｐ−メンタン−３−カルボキサミド）アセテート］、ＦＥＭＡ４３０９；ＷＳ−１２（１Ｒ，２Ｓ，５Ｒ）−Ｎ−（４−メトキシフェニル）−ｐ−メンタンカルボキサミド、ＦＥＭＡ４６８１；ＷＳ−２７（Ｎ−エチル−２，２−ジイソプロピルブタンアミド）、ＦＥＭＡ４５５７；（−）−メンチルラクテート、ＦＥＭＡ３７４８３；−（（−）−メントキシ）プロパン−１，２−ジオール、ＦＥＭＡ３７８４；（−）−メンチルエチレングリコールカーボネート、ＦＥＭＡ３８０５；（−）−メントン１，２−グリセロールケタール、ＦＥＭＡ３８０７；（ラセミ体）＝ＤＬ−メントン１，２−グリセロールケタール、ＦＥＭＡ３８０８；（−）−メンチルスクシネート、ＦＥＭＡ３８１０；（−）−メンチル１＆２プロピレングリコールカーボネート、ＦＥＭＡ３８０６；（ラセミ体）＝ＤＬ−メンチル１＆２プロピレングリコールカーボネート、ＦＥＭＡ３９９２；（１Ｒ，２Ｓ，５Ｒ）−Ｎ−（４−（シアノメチル）フェニル）メンチルカルボキサミド、ＦＥＭＡ４４９６；（−）−クベボール＝（１Ｒ，４Ｓ，５Ｒ，６Ｒ，７Ｓ，１０Ｒ）−７−イソプロピル−４，１０−ジメチル−トリシクロ［４．４．０．０（１，５）］デカン−４−オール、ＦＥＭＡ４４９７；（１Ｒ，２Ｓ，５Ｒ）−Ｎ−（２−（ピリジン−２−イル）エチル）メンチルカルボキサミド、ＦＥＭＡ４５４９；Ｎ−（２−ヒドロキシエチル）−２，３−ジメチル−２−イソプロピルブタンアミド、ＦＥＭＡ４６０２；ジ−（−）−メンチルグルタレート、ＦＥＭＡ４６０４；（１Ｒ，２Ｓ，５Ｒ）−Ｎ−（４−（カルバモイルメチル）フェニル）−メチルカルボキサミド、ＦＥＭＡ４６８４；２−［２−（ｐ−メンタン−３−イルオキシ）エトキシ］エタノール＝（１Ｒ，２Ｓ，５Ｒ）−２−［２−（２−イソプロピル−５−メチル−シクロヘキシルオキシ）エトキシ］エタノール、ＦＥＭＡ４７１８；１Ｒ，２Ｒ，４Ｒ）−１−（２−ヒドロキシ−４−メチルシクロヘキシル）エタノン、ＦＥＭＡ４７４２；および２−（ｐ−トリルオキシ）−Ｎ−（１Ｈ−ピラゾール−５−イル）−Ｎ−（（チオフェン−２−イル）メチル）アセトアミド、ＦＥＭＡ４８０９からなる群から選択される。
【００２８】
一実施形態では、本明細書で提供される化合物は、ＷＳ−３（Ｎ−エチル−ｐ−メンタン−３−カルボキサミド）である。
【００２９】
本発明の別の対象は、
−  液体組成物と、
−  該組成物を空気中に少なくとも部分的に供給するディスペンス手段と、
を含むデバイスであって、
前記液体組成物は、
ｉ）香料ならびに
ｉｉ）以下のａ）〜ｃ）からなる群から選択される有効量の少なくとも１種の配合化合物Ａ：
ａ）式（ＩＡ）による少なくとも１種の化合物
【化３】
2018531690.tif 000004
であって、
前記式中、
Ｒ１は水素原子またはメチル基を表し；
Ｒ２はピラゾール−５−イルまたはピラゾール−４−イルを表し、該ピラゾール−５−イルまたは該ピラゾール−４−イルは１個または２個のメチル基で置換されていてもよい；
Ｒ３は別々に考えた場合、水素原子を表し、かつＲ４は別々に考えた場合、水素原子またはメチル基またはメトキシ基を表すか；またはＲ３およびＲ４は一緒に考えた場合、（ＣＨ２）３または（ＯＣＨ２Ｏ）基を表す、前記化合物；
ｂ）３，４−メチレンジオキシケイ皮酸、Ｎ，Ｎ−ジフェニルアミド、および
ｃ）それらの混合物
を含む、前記デバイスである。
【００３０】
特定の実施形態によれば、前記Ｒ１は水素原子を表す。
【００３１】
特定の実施形態によれば、前記Ｒ２は、１Ｈ−ピラゾール−３−イル、１Ｈ−ピラゾール−５−イルまたは１Ｈ−ピラゾール−４−イル基、好ましくは１Ｈ−ピラゾール−５−イル基を表す。
【００３２】
特定の実施形態によれば、前記Ｒ３は別々に考えた場合、水素原子を表し、かつＲ４は別々に考えた場合、メチル基を表すか；またはＲ３およびＲ４は一緒に考えた場合、（ＣＨ２）３基を表す。
【００３３】
特定の実施形態によれば、前記化合物（ＩＡ）は、Ｎ−（１Ｈ−ピラゾール−５−イル）−Ｎ−（チオフェン−２−イルメチル）−２−（ｐ−トリルオキシ）アセトアミドまたは２−（（２，３−ジヒドロ−１Ｈ−インデン−５−イル）オキシ）−Ｎ−（１Ｈ−ピラゾール−３−イル）−Ｎ−（チオフェン−２−イルメチル）アセトアミドである。
【００３４】
一実施形態によれば、化合物（ＩＡ）は、Ｎ−（１Ｈ−ピラゾール−５−イル）−Ｎ−（チオフェン−２−イルメチル）−２−（ｐ−トリルオキシ）アセトアミド（２−（４−メチルフェノキシ）−Ｎ−（１Ｈ−ピラゾール−５−イル）−Ｎ−（２−チエニルメチル）アセトアミドとも呼ばれる）である。
【００３５】
しかしながら、Ｎ−（１Ｈ−ピラゾール−５−イル）−Ｎ−（チオフェン−２−イルメチル）−２−（ｐ−トリルオキシ）アセトアミドが、当業者によく知られているその互変異性体Ｎ−（１Ｈ−ピラゾール−３−イル）−Ｎ−（チオフェン−２−イルメチル）−２−（ｐ−トリルオキシ）アセトアミド（２−（４−メチルフェノキシ）−Ｎ−（１Ｈ−ピラゾール−３−イル）−Ｎ−（２−チエニルメチル）アセトアミドとも呼ばれる）も含むことが理解されるべきである。
【００３６】
本発明によれば、「ディスペンス手段」は、液体組成物を少なくとも部分的に空気中に供給するのに適した任意の手段として理解されるべきである。
【００３７】
非限定的な例としては、単純なディスペンス手段、例えば、開口部、孔質ウィックまたはより複雑なディスペンス手段、例えば、機械システム（ポンプ、加圧スプレーシステム）または電気システムが挙げられ得る。
【００３８】
本発明の別の対象は、
−  液体組成物と、
−  該液体組成物を空気中に少なくとも部分的に供給するディスペンス手段と、
を含むデバイスであって、
前記液体組成物は、
ｉ）香料ならびに
ｉｉ）以下のものからなる群から選択される有効量の少なくとも１種の化合物：Ｎ−エチル−ｐ−メンタン−３−カルボキサミド（ＷＳ−３）；２−イソプロピル−Ｎ，２，３−トリメチルブチルアミド（ＷＳ−２３）；エチル３−（ｐ−メンタン−３−カルボキサミド）アセテート（ＷＳ−５）；Ｎ−（１，１−ジメチル−２−ヒドロキシエチル）−２，２−ジエチルブタンアミド（ＷＳ−１１６）；Ｎ−エチル−２，２−ジイソプロピルブタンアミド（ＷＳ−２７）；（１Ｒ，２Ｓ，５Ｒ）−Ｎ−（４−メトキシフェニル）−ｐ−メンタンカルボキサミド（ＷＳ−１２）；メントキシエタノール（Ｃｏｏｌａｃｔ（登録商標）５）；Ｎ−シクロプロピル−５−メチル−２−イソプロピルシクロヘキサンカルボキサミド；（−）−メントール；（−）−イソプレゴール（Ｃｏｏｌａｃｔ（登録商標）Ｐ）；（−）−メンチルラクテート（Ｆｒｅｓｃｏｌａｔ（登録商標）ＭＬ）；３−（（−）−メントキシ）プロパン−１，２−ジオール（Ｃｏｏｌａｃｔ（登録商標）１０）；（−）−メンチルエチレングリコールカーボネート（Ｆｒｅｓｃｏｌａｔ（登録商標）ＭＧＣ）；（−）−メントン１，２−グリセロールケタール（Ｆｒｅｓｃｏｌａｔ（登録商標）ＭＧＡ）；ＤＬ−メントン１，２−グリセロールケタール（Ｆｒｅｓｃｏｌａｔ（登録商標）ＭＧＡ（ラセミ体）；（−）−メンチルスクシネート；（−）−メンチル１＆２プロピレングリコールカーボネート（Ｆｒｅｓｃｏｌａｔ（登録商標）ＭＰＣ）；ＤＬ−メンチル１＆２プロピレングリコールカーボネート（Ｆｒｅｓｃｏｌａｔ（登録商標）タイプＭＰＣ（ラセミ体）；（−）−メンチルグルタレート（Ｃｏｏｌｅｒ２（登録商標））；（＋）−シス＆（−）−トランスｐ−メンタン−３，８−ジオール（Ｃｏｏｌａｃｔ（登録商標）３８Ｄ）；Ｎ，Ｎ−ジメチル（−）−メンチルスクシンアミド；（−）−メントン（Ｓ）−乳酸ケタール（Ｆｒｅｓｈｏｎｅ（登録商標））、（−）−メンチルピロリドンカルボキシレート（Ｑｕｅｓｔｉｃｅ（登録商標））；（−）−メンチル（Ｓ）−３−ヒドロキシブチラート；（−）−メンチルアセトアセテート（Ｕｌｔｒａｃｏｏｌ（登録商標）７）；（１Ｒ，２Ｓ，５Ｒ）−Ｎ−（４−（シアノメチル）フェニル）メンチルカルボキサミド（Ｅｖｅｒｃｏｏｌ（登録商標）１８０）；（１Ｒ，４Ｓ，５Ｒ，６Ｒ，７Ｓ，１０Ｒ）−７−イソプロピル−４，１０−ジメチル−トリシクロ［４．４．０．０（１，５）］デカン−４−オール；（１Ｒ，２Ｓ，５Ｒ）−Ｎ−（２−（ピリジン−２−イル）エチル）メンチルカルボキサミド（Ｅｖｅｒｃｏｏｌ（登録商標）１９０）；Ｎ−（２−ヒドロキシエチル）−２，３−ジメチル−２−イソプロピルブタンアミド；ジ−（−）−メンチルグルタレート；（１Ｒ，２Ｓ，５Ｒ）−Ｎ−（４−（カルバモイルメチル）フェニル）−メチルカルボキサミド；（１Ｒ，２Ｓ，５Ｒ）−２−［２−（２−イソプロピル−５−メチル−シクロヘキシルオキシ）エトキシ］−エタノール；（１Ｒ，２Ｒ，４Ｒ）−１−（２−ヒドロキシ−４−メチルシクロヘキシル）エタノン；２−（ｐ−トリルオキシ）−Ｎ−（１Ｈ−ピラゾール−５−イル）−Ｎ−（（チオフェン−２−イル）メチル）アセトアミド；Ｎ−（４−シアノメチルフェニル）−ｐ−メンタンカルボキサミド；Ｎ−（２−（ピリジン−２−イル）エチル）−３−ｐ−メンタンカルボキサミド；Ｎ−（２−ヒドロキシエチル）−２−イソプロピル−２，３−ジメチルブタンアミド；Ｎ−（４−（カルバモイルメチル）フェニル）−メチルカルボキサミドおよびそれらの混合物
を含む、前記デバイスである。
【００３９】
本明細書で提供される有効量の選択された化合物が存在することで、驚くべきことに、消費者による香料の知覚が明確に調節されている。香料の感覚的な知覚が変わり、香料は、より独自性があり、実物に近く、多層で、かつ多感覚であると考えられる。一方、匂いのプロファイルは、本明細書で提供される化合物の存在による影響を受けない。さらに、フレグランスも、フレグランスの拡散が改善されていると認識されている。本発明の文脈におけるフレグランスの拡散が意味することは、蒸発源から一定の距離、本明細書では蒸発源から８０ｃｍでのフレグランスの知覚である。フレグランスの拡散性は、パネリストによって評価される一定の距離で知覚されるフレグランスの強さである。
【００４０】
任意の実施形態によれば、配合化合物は、好ましくは液体組成物の０．０００５〜０．２質量％、好ましくは０．００１〜０．１質量％、より好ましくは０．００２〜０．０１質量％の量で存在する。配合化合物の正確な量および性質は意図された用途によって異なるだろう。特に、意図された用途に応じて、当業者は、本発明で定義される「配合化合物」から特定の用途に適合する一定の揮発性を有するものを選択するであろう。一例として、本発明で定義される「配合化合物」のより揮発性の高い化合物は、液体電気式エアフレッシュナーデバイスでの使用には好ましいであろう。他のより揮発性の低い化合物は、エアロゾルタイプのデバイスにより適している可能性がある。この出願における更なる詳細を以下に示す。
【００４１】
液体組成物は香料を含む。前記組成物は、香料とともに、揮発性の活性成分をさらに含み得る。適切な活性成分は、消臭剤もしくは消毒剤、または昆虫忌避剤を含むか、さらには他の揮発性物質を含み、該揮発性物質は、それらが拡散される空気の質に対して知覚可能でかつ望ましい利益を与えることができる。特に、悪臭を中和するかまたはマスキングすることができる揮発性成分、すなわち、悪臭中和成分を使用することも有利である。
【００４２】
「香料」として、付香成分またはその混合物を使用してもよい。「付香成分」とは、本明細書では、香料産業で使用されている化合物、すなわち、付香組成物または付香された製品において活性成分として使用され、その周囲に快楽効果を与える化合物を意味する。換言すれば、付香するものと見なされるべき、そのような成分または混合物は、単に匂いを有するものではなく、組成物または製品の匂いを、好ましくは肯定的なまたは快い方法で付与または改変することができなければならない。さらに、この定義は、必ずしも匂いを有さないが、付香組成物または付香された製品の匂いを調節することができ、その結果、かかる組成物または製品の匂いの使用者による知覚を変更することができる化合物を含むことも意味する。
【００４３】
これらの付香成分の性質および種類は、本明細書でより詳細な説明を必要とするものではなく（いずれの場合も網羅されないであろう）、当業者は彼らの一般的な知識、意図される使用または用途および所望の感覚刺激効果に基づいてそれらを選択することができる。一般的には、これらの付香成分は、アルコール、アルデヒド、ケトン、エステル、エーテル、アセテート、ニトリル、テルペン炭化水素、含窒素または含硫黄複素環化合物、および精油などの化学クラスに属する。前記付香成分は、天然または合成由来のものであり得る。これらの成分の多くはいずれの場合も、S. Arctanderによる書籍、Perfume and Flavor Chemicals, 1969年, Montclair, New Jersey, USA、またはその最新版、または類似の性質の他の論文、ならびに香料分野の豊富な特許文献などの参考テキストに記載されている。前記成分は、様々な種類の付香化合物を制御された方法で放出することが知られている化合物であってもよいことも理解されている。
【００４４】
通常、香料は、溶媒などの香料製造業において現在使用されている担体も含有し得る。香料成分または成分の混合物は、カプセル化された形で運ばれ、香料製造業において現在使用されているカプセル化担体に封入され得る。フレグランスマイクロカプセルは、特に壊れやすい付香成分を保護するのに有利であり得るか、さらには特定の香料成分の放出を遅らせ、したがって徐放出の効果をもたらすのに有利であり得る。同じことが、いわゆるプロフレグランス（すなわち、一般的にそれ自体は匂い物質ではないが、使用条件下での化学反応または光化学反応によって匂い物質を生成することができる高分子量の化学物質）が本発明に従って使用される場合にも当てはまる。
【００４５】
液体組成物中の香料の量は用途によって異なるであろう。当業者は、適用分野の一般知識に基づいて香料の量を選択することができる。
【００４６】
他の活性揮発性成分は、任意の適切な溶媒に溶解し得る。
【００４７】
本明細書において用語「悪臭中和剤」または「悪臭中和成分」が意味するものは、悪臭、すなわちヒトの鼻に不快なまたはいやな臭いの知覚を中和および／またはマスキングすることによって低減することができる化合物である。特定の実施形態では、これらの化合物は、悪臭の原因であることが知られているまたは疑われる主要な化合物と反応する能力を有する。反応の結果、悪臭物質の空気中濃度が低下し、結果として悪臭の知覚が低下する。
【００４８】
液体組成物は、さらなる活性揮発性成分として昆虫忌避剤を含み得る。適切な昆虫忌避剤の非限定的な例としては、シトロネラ、ジメチルフタレート、およびｎ，ｎ−ジメチル−ｍ−トルミドが挙げられるが、他の昆虫忌避剤も本発明によって使用され得る。
【００４９】
本発明のすべての実施形態では、香料以外の活性揮発性成分または成分の混合物の量は、液体組成物の全質量に対して、０．５〜２．０質量％、より好ましくは１．０〜２．０質量％の活性揮発性成分であるものとする。
【００５０】
液体組成物は、デバイスの最終用途に応じてさらなる成分を含んでいてよく、当業者はそれらの成分を決定し選択することができる。例えば、香料用途の場合、他の成分としては、染料、ＵＶフィルター、保湿剤、皮膚軟化剤、抗菌剤、スキンケア活性成分、抗酸化剤が挙げられ得る。
【００５１】
本発明によるデバイスは、そこに含まれる液体組成物を少なくとも部分的に空気中に供給することを可能にする。
【００５２】
特定の実施形態によれば、液体組成物は空気中に完全に供給され、デバイスはエアフレッシュナーデバイスである。空気清浄デバイスまたは消臭剤は知られており、悪臭を隠すために、またはフレグランスまたは他の揮発性活性成分をデバイス周囲の空気、特に部屋および食器戸棚、廃棄物容器、ならびに他の閉鎖環境に拡散させるために多くの家庭で使用されている。本発明のデバイスは、任意の形の公知のエアフレッシュナーデバイスであり得る。このようなデバイスは、フレグランスまたは他の活性揮発性物質を、蒸気に移行する液滴として、または供給源から直接蒸発するフレグランス成分の分子として空気中に供給する。フレグランスを液滴として空気に導入する空気清浄デバイスには、エアロゾルスプレーまたはアトマイザー；フレグランス組成物をエアロゾル化するために圧電技術を利用するウォールプラグインまたはバッテリ駆動デバイス；および熱を使わずに液体フレグランスを常に蒸気に変換する噴霧システムが含まれる。供給源から直接蒸発させることによってフレグランスを空気に導入する空気清浄デバイスには、香料入りのろうそく、およびフレグランス配合物を加熱して気化するためのろうそくの炎またはいくつかの他の熱源を使用するデバイス；香炉；灯心またはゲルから液体組成物を気化するための熱を通常使用するウォールプラグイン；場合によりゲルが扇風機によって蒸発する際にフレグランスを放出するフレグランス含浸ゲル；フレグランスに浸した灯心または木製リードから蒸発することによってフレグランスを放出する灯心およびリードディフューザー；ならびにフレグランス含浸固体または半固体材料、例えば、紙、プラスチック、石膏および木材が含まれる。
【００５３】
エアロゾルスプレーは、バルブ付きの密閉式金属容器またはガラス容器に加圧下で充填された噴射剤およびフレグランスを使用し、該バルブはスプレーノズル−アクチュエータを含むボタンを押し下げることで開く。アクチュエータを押すことによって容器のバルブが開かれる際に、フレグランスがアクチュエータの内側にあるスプレーノズルに押し込まれ、フレグランスを含有する液滴のミストが作られる。噴射剤は、プロパン、ブタンまたはジメチルエーテルなどの液化ガスであっても；または、圧縮空気または圧縮窒素などの圧縮ガスであってもよい。
【００５４】
缶内に含有される液体フレグランス組成物で満たされたビニール袋を含む比較的最近のタイプのエアロゾルパッケージが開発された。その袋はバルブ／アクチュエータ／スプレーノズルに取り付けられ、加圧下にて空気で囲まれた缶の中に密閉されている。アクチュエータが押されると、バルブが開き、液状組成物が袋の周りの圧力によりノズルに押し込まれる。
【００５５】
エアロゾル缶からエアロゾルを周囲に間欠的に放出するための自動エアロゾルディスペンサーデバイスも、本発明に適している。これらのデバイスは、一般に、ハウジングを含み、このハウジングは加圧下でフレグランス溶液を含有するエアロゾル容器；作動時に、エアロゾルを缶から環境に放出するように適合された放出機構；ハウジングを通してエアロゾルの放出を可能にするエアロゾル放出機構に接続された出口；エアロゾル放出機構を間欠的に作動させるように適合された作動機構；および、作動間の時間間隔を制御するためのタイミング機構を含む。
【００５６】
アトマイザーは、フレグランス溶液のプラスチック容器、ガラス容器または金属容器とポンプアクチュエーターとを含む。これはエアロゾルと同じように動作するが、液体フレグランス組成物は加圧下で充填されない。フレグランス溶液を霧化／吸引する圧力は、製品の使用者がポンプを押すかまたは引き金を引くことによって生じる。この作用により十分な圧力が発生し、容器内に保存された液体を、チューブを通してアクチュエータおよびスプレーノズルに引き込む。作られたミストは、一般的にエアロゾルスプレーデバイスを使用して作られたものよりも大きい液滴を含む。
【００５７】
圧電技術は、液滴を発生させるために存在する多くの電気機械プロセスの１つである。このような分散方法の１つは、複合薄肉構造または平面構造を有する電気機械変換器によって振動され、屈曲モードで動作するように配置された有孔構造を含むデバイスによって液体を噴霧することである。液体は振動有孔構造に供給され、そこから液滴で有孔構造の振動時に吹き付けられる。
【００５８】
噴霧香気送達デバイスは、液体フレグランス油を香料入りミストに霧化し、この香料入りミストをアトマイザーの外側の空気に送達するアトマイザーを含む。
【００５９】
フレグランス組成物を周囲の空気中に蒸発させる多種多様なプラグイン電気デバイスも、本発明に適している。一般的に、これらのデバイスは、香料またはフレグランス組成物；電気ヒーター；および電源からなる。香料またはフレグランスの供給源に熱を加えることにより、香料またはフレグランスはデバイスの置かれている空間に連続的に供給される。
【００６０】
特定の実施形態によれば、本発明によるデバイスは、エアロゾルエアフレッシュナー、自動エアロゾルエアフレッシュナースプレーおよび液体電気式エアフレッシュナーからなる群から選択されるエアフレッシュナーである。
【００６１】
一実施形態によれば、本発明のデバイスはスプレーデバイスからなる。
【００６２】
本発明によるデバイスがエアフレッシュナーである場合、液体組成物中の香料の量は、香料と少なくとも１種の配合化合物との間の比が５０００：１〜５０：１、好ましくは２０００：１〜１００：１；より好ましくは１０００：１〜２００：１であるような量である。
【００６３】
さらなる実施形態によれば、デバイスは、香料、オーデパルファム、オーデコロン、デオコロン（deo-cologne）、ボディスプラッシュ、ボディスプレー、消臭剤または発汗抑制剤のディスペンスデバイスの形である。好ましくは、ディスペンスデバイスはスプレーデバイスである。好ましくは、スプレーデバイスは、自然スプレーデバイス、エアロゾルデバイスおよび圧電デバイスの群内で選択される。
【００６４】
本発明によるデバイスが、香料、オードトワレ、オーデパルファムまたはオーデコロン、ボディスプラッシュまたはボディスプレーの形である場合、液体組成物中の香料の量は、香料と少なくとも１種の配合化合物との間の比が５００００：１〜１５０：１、好ましくは２５０００：１〜５００：１、より好ましくは１５０００：１〜１０００：１であるような量である。
【００６５】
デバイスがパーソナルデオドラントまたは発汗抑制剤の形である場合、香料と少なくとも１種の配合化合物との間の比は５０００：１の間；好ましくは１２５０：１の間；より好ましくは２５０：１の間に含まれる。
【００６６】
液体組成物は用途に応じて機能性成分を更に含み得る。これらの成分は、本明細書ではより詳細な説明を必要とするものではなく、いずれの場合も網羅されないであろう。当業者は、当該技術分野における一般的知識および供給される液体組成物の望ましい特性に基づいてそれらを選択することができる。
【００６７】
別の態様では、本発明は、少なくとも部分的に空気中に供給されるべき付香組成物の、または前記付香組成物を含有する付香された物品の感覚的な知覚を強化、改善および／または調節する方法であって、前記組成物または物品に有効量の少なくとも１種の配合化合物を添加することを含む、前記方法を提供する。好ましい実施形態では、少なくとも１種の配合化合物は、最終製品配合物の０．０００５〜０．２質量％、好ましくは０．００１〜０．１質量％；より好ましくは０．００２〜０．０１質量％の液体組成物（質量％）の量で添加される。
【００６８】
さらなる実施形態によれば、本発明はまた、付香組成物または付香された物品の空気中の供給源からのフレグランスの拡散を改善する方法であって、有効量の本発明で定義された少なくとも１種の「配合化合物」を前記組成物に添加することを含む前記方法を提供する。
【００６９】
発散デバイスを介して空気中に送達するのに適した液体組成物であって、
（ｉ）液体組成物の０．０００５〜０．２質量％、好ましくは０．００１〜０．１質量％；より好ましくは０．００２〜０．０１質量％の量の本発明で定義された少なくとも１種の「配合化合物」および
（ｉｉ）少なくとも１種の香油
を含む、前記液体組成物は本発明の別の対象である。組成物および香料の性質は上記されているものと同様である。
【００７０】
本発明によるデバイスの全ての実施形態は、既知のおよび標準的な方法に従って製造することができ、その際、本明細書の前の節で定義された、好ましい成分の使用およびその相対的な割合により有利な特性を有する様々なデバイスを得ることが可能である。
【００７１】
本発明はここで以下の実施例によりさらに詳細に説明されるであろうが、その際、量はゲルの質量に対して質量％で示され、温度は摂氏で示される。
【図面の簡単な説明】
【００７２】
【図１】図１は、距離ゼロおよび距離８０ｃｍでのブランクに対する本発明による組成物の３２℃での約３０分後の盲検法による評価の結果を示す。
【図２】図２は、本発明の化合物を含むおよび本発明の化合物を含まない試験エアロゾルの結果を示す。
【図３】図３は、本発明による組成物およびブランク組成物について適用から４時間１５分後の様々なノートの知覚される強さを示すグラフである（濃い円は有意差ｐ≦０．０５を表し、薄い円は傾向差ｐ≦０．１５を表す）。
【図４】図４は、本発明による組成物およびブランク組成物について適用から６時間１５分後の様々なノートの知覚される強さを示すグラフである（濃い円は有意差ｐ≦０．０５を表し、薄い円は傾向差ｐ≦０．１５を表す）。
【００７３】
実施例１
本発明による標準エアロゾルエアフレッシュナーデバイス
本発明によるエアロゾルエアフレッシュナーを、以下の成分で調製した。
【表１】
2018531690.tif 000005
１）ソルビタンモノ−オレアート
２）以下の第２表を参照のこと
３）ＰＧ溶媒中の１％のＮ−（１Ｈ−ピラゾール−５−イル）−Ｎ−（チオフェン−２−イルメチル）−２−（ｐ−トリルオキシ）アセトアミド
【表２】
2018531690.tif 000006
１）製造元：フィルメニッヒＳＡ、ジュネーブ、スイス
２）メチルジヒドロジャスモネート；製造元：フィルメニッヒＳＡ、ジュネーブ、スイス
３）製造元：ジボダンＳＡ、ベルニエ、スイス
３’）４−メチル−３−デカン−５−オール、ジボダンＳＡ、ベルニエ、スイス
４）２−ｔｅｒｔ−ブチル−１−シクロヘキシルアセテート；製造元：インターナショナルフレーバー＆フレグランス、米国
５）製造元：フィルメニッヒＳＡ、ジュネーブ、スイス
【００７４】
プレミックスを２つの工程で調製した。第１工程では、約１質量％のＮ−（１Ｈ−ピラゾール−５−イル）−Ｎ−（チオフェン−２−イルメチル）−２−（ｐ−トリルオキシ）アセトアミドを含有するプロピレングリコール溶液（溶媒ＰＧ）を作った。第２工程では、０．３７ｇのフレグランスベースを、０．６０ｇの可溶化剤および予め調製した０．１３ｇの２％のＮ−（１Ｈ−ピラゾール−５−イル）−Ｎ−（チオフェン−２−イルメチル）−２−（ｐ−トリルオキシ）アセトアミド溶液とガラス瓶内で混合した。
【００７５】
約６９．２０ｇの脱イオン水および１．１０ｇの上記プレミックスをエアロゾル缶に加え、密閉（クリンプ）されたバルブを缶に入れた。次に缶を約２９．７０ｇのブタン噴射剤で加圧し、アクチュエータをバルブ軸に取り付けた。
【００７６】
実施例２
本発明による自動エアロゾルエアフレッシュナー
本発明による自動エアロゾルエアフレッシュナーを、以下の成分を用いて調製した。
【表３】
2018531690.tif 000007
１）実施例１の第２表を参照のこと
２）ジプロピレングリコールｎ−プロピルエーテル（Ｄｏｗａｎｏｌ（登録商標）ＤＰｎＰ、商標および製造元：ダウ（Dow））中の２％のＮ−（１Ｈ−ピラゾール−５−イル）−Ｎ−（チオフェン−２−イルメチル）−２−（ｐ−トリルオキシ）アセトアミド
【００７７】
プレミックスを２つの工程で調製した。第１工程では、約２質量％のＮ−（１Ｈ−ピラゾール−５−イル）−Ｎ−（チオフェン−２−イルメチル）−２−（ｐ−トリルオキシ）アセトアミドを含有するジプロピレングリコールｎ−プロピルエーテル溶液（Ｄｏｗａｎｏｌ（登録商標）ＤＰｎＰ、商標および製造元：ダウ）を作った。第２工程では、２．０２ｇのフレグランスベースを、予め調製した０．２３ｇの２％のＮ−（１Ｈ−ピラゾール−５−イル）−Ｎ−（チオフェン−２−イルメチル）−２−（ｐ−トリルオキシ）アセトアミド溶液とガラス瓶内で混合した。得られた液体組成物は、約９０質量％のフレグランスベース、９．８質量％のＤｏｗａｎｏｌ（登録商標）ＤＰｎＰおよび０．２質量％のＮ−（１Ｈ−ピラゾール−５−イル）−Ｎ−（チオフェン−２−イルメチル）−２−（ｐ−トリルオキシ）アセトアミドを含有していた。
【００７８】
約５５．７５ｇのエタノールおよび６．００ｇの脱イオン水をエアロゾル缶に入れた。次に、２．２５ｇのプレミックスを缶に加え、密閉（クリンプ）された計量式バルブを缶に入れた。次に缶を約３６．００ｇのブタン噴射剤で加圧し、アクチュエータをバルブ軸に取り付けた。次に、エアロゾル缶を自動スプレーユニットに入れ、このユニットは制御された量の製品を規則的な所定の間隔で空気中に自動的に供給することが可能である。
【００７９】
実施例３
本発明による液体電気式エアフレッシュナー
液体電気式エアフレッシュナーを、以下の成分を用いて調製した：
【表４】
2018531690.tif 000008
１）実施例１の第２表を参照のこと
２）ジプロピレングリコールｎ−プロピルエーテル（Ｄｏｗａｎｏｌ（登録商標）ＤＰｎＰ、商標および製造元：ダウ）中の２％のＮ−（１Ｈ−ピラゾール−５−イル）−Ｎ−（チオフェン−２−イルメチル）−２−（ｐ−トリルオキシ）アセトアミド
【００８０】
第１工程では、約２質量％のＮ−（１Ｈ−ピラゾール−５−イル）−Ｎ−（チオフェン−２−イルメチル）−２−（ｐ−トリルオキシ）アセトアミドを含有するジプロピレングリコールｎ−プロピルエーテル（Ｄｏｗａｎｏｌ（登録商標）ＤＰｎＰ、商標および製造元：ダウ）溶液を作った。第２工程では、１８．０ｇのフレグランスベースを、予め調製した２．０ｇの２％のＮ−（１Ｈ−ピラゾール−５−イル）−Ｎ−（チオフェン−２−イルメチル）−２−（ｐ−トリルオキシ）アセトアミド溶液とガラス瓶内で混ぜ合わせた。得られた液体組成物は、約９０質量％のフレグランスベース、９．８質量％のＤｏｗａｎｏｌ（登録商標）ＤＰｎＰおよび０．２質量％のＮ−（１Ｈ−ピラゾール−５−イル）−Ｎ−（チオフェン−２−イルメチル）−２−（ｐ−トリルオキシ）アセトアミドを含有していた。これを次に灯心が挿入された瓶に加え、電気エアフレッシュナーデバイスに入れた。
【００８１】
実施例４
本発明によるエアフレッシュナーエアロゾル
プレミックスを２つの工程で調製した。第１工程では、０．９６７ｇのＮ−（１Ｈ−ピラゾール−５−イル）−Ｎ−（チオフェン−２−イルメチル）−２−（ｐ−トリルオキシ）アセトアミドを、４７．３７４ｇのＤｏｗａｎｏｌ（登録商標）ＤＰｎＰと６０ｍｌのガラス瓶内で混ぜ合わせることによって、約２質量％のＮ−（１Ｈ−ピラゾール−５−イル）−Ｎ−（チオフェン−２−イルメチル）−２−（ｐ−トリルオキシ）アセトアミドを含有するジプロピレングリコールｎ−プロピルエーテル（Ｄｏｗａｎｏｌ（登録商標）ＤＰｎＰ、商標および製造元：ダウ）溶液を調製した。第２工程では、１７．８３１ｇのフレグランスベース（以下の第５表を参照のこと）を、３０ｍｌのガラス瓶内で、予め調製した１．９８０ｇの２％のＮ−（１Ｈ−ピラゾール−５−イル）−Ｎ−（チオフェン−２−イルメチル）−２−（ｐ−トリルオキシ）アセトアミド溶液と混ぜ合わせた。得られた液体組成物は、約９０質量％のフレグランスベース、９．８質量％のＤｏｗａｎｏｌ（登録商標）ＤＰｎＰおよび０．２質量％のＮ−（１Ｈ−ピラゾール−５−イル）−Ｎ−（チオフェン−２−イルメチル）−２−（ｐ−トリルオキシ）アセトアミドを含有していた。
【表５】
2018531690.tif 000009
【００８２】
エアロゾル配合物を、第６表に記載された組成（示された値は質量％である）に従って、上記プレミックスを用いて調製した。
【表６】
2018531690.tif 000010
【００８３】
約５５．７５ｇのエタノールおよび６．００ｇの脱イオン水をエアロゾル缶に入れた。次に、２．２５ｇのプレミックスを缶に加え、密閉（クリンプ）された計量式バルブを缶に入れた。次に缶を約３６．００ｇのブタン噴射剤で加圧し、アクチュエータをバルブ軸に取り付けた。次に、エアロゾル缶を自動スプレーユニットに入れ、このユニットは制御された量の製品を規則的な所定の間隔で空気中に自動的に供給することが可能である。
【００８４】
実施例５
対照のエアフレッシュナーエアロゾルの調製−本発明の範囲外
１８．２２ｇのフレグランスベース（実施例４の第５表からの組成物）を、２．０２ｇのジプロピレングリコールｎ−プロピルエーテル（Ｄｏｗａｎｏｌ（登録商標）ＤＰｎＰ；商標および製造元；ダウ）と３０ｍｌのガラス瓶内で混ぜ合わせることによって対照のプレミックスを調製した。得られた液体組成物は約９０質量％のフレグランスベースおよび１０質量％のジプロピレングリコールｎ−プロピルエーテルを含んでいた。
【００８５】
下記の第７表の成分を示した割合で使用して、実施例４に記載した方法を繰り返した。
【表７】
2018531690.tif 000011
【００８６】
実施例６
本発明によるデバイスの性能の官能評価
本発明によるデバイスの性能を、訓練を受けていない評価者によって官能評価室で評価した。この研究で使用したエアフレッシュナーデバイスは、実施例４および５に記載されたもの、すなわち、制御された量の製品を所定の間隔で空気中に供給することが可能な自動エアロゾルであった。特に、９分ごとに投与量をスプレーするようにユニットを設定した。実施例４に記載した本発明によるエアフレッシュナーを、実施例５に記載した対照と比較した。嗅覚的に同じ刺激で起こり得る相互適応効果を避けるために、香料の性質が異なる点を除いて、同じプロセスに従って同じ組成で調製した２つの基準製品に対して別々に試験製品を比較した。基準フレグランスの組成を第８表および第９表に記載する。
【表８】
2018531690.tif 000012
１）製造元：フィルメニッヒＳＡ、ジュネーブ、スイス
２）２−ｔｅｒｔ−ブチル−１−シクロヘキシルアセテート；製造元：インターナショナルフレーバー＆フレグランス、米国
２’）４−シクロヘキシル−２−メチル−２−ブタノール、製造元：フィルメニッヒＳＡ、ジュネーブ、スイス
３）製造元：フィルメニッヒＳＡ、ジュネーブ、スイス
４）製造元：フィルメニッヒＳＡ：ジュネーブ、スイス
【表９】
2018531690.tif 000013
【表１０】
2018531690.tif 000014
１）（−）−（８Ｒ）−８，１２−エポキシ−１３，１４，１５，１６−テトラノルラブダン、製造元：フィルメニッヒＳＡ、ジュネーブ、スイス
２）２−エチル−４−（２，２，３−トリメチル−３−シクロペンテン−１−イル）−２−ブテン−１−オール、製造元：インターナショナルフレーバー＆フレグランス、米国
３）１，２，３，５，６，７−ヘキサヒドロ−１，１，２，３，３−ペンタメチル−４−インデノン、製造元：インターナショナルフレーバー＆フレグランス、米国
４）８−メトキシ−２，６，６，８−テトラメチル−トリシクロ［５．３．１．０（１，５）］ウンデカン
５）（シクロヘキシルオキシ）−アリルアセテート、製造元：ドラゴコ（Dragoco）、ホルツミンデン、独国
６）３−（４／２−エチルフェニル）−２，２−ジメチルプロパナール、製造元：インターナショナルフレーバー＆フレグランス、米国
７）メチルジヒドロジャスモネート、製造元：フィルメニッヒＳＡ、ジュネーブ、スイス
８）１，３−ベンゾジオキソール−５−カルバルデヒド、製造元：フィルメニッヒＳＡ、ジュネーブ、スイス
９）１−（オクタヒドロ−２，３，８，８−テトラメチル−２−ナフタレニル）−１−エタノン、製造元：インターナショナルフレーバー＆フレグランス、米国
【００８７】
試験製品の評価を、調節化合物の有無にかかわらず、８００ｆｔ３の評価室で行った。最初の試験では、調節化合物を含まない試験製品（実施例５の対照）を２つの基準製品と比較した。第２の試験では、調節化合物を含む試験製品（実施例４）を２つの基準製品に対して試験した。
【００８８】
試料を６０人の訓練を受けていない評価者のパネルによって評価した。「訓練を受けていない評価者」とは、正式な嗅覚訓練を受けていないがフレグランスの評価に参加するのに慣れており、かつ香料の属性を評価した経験のあるエアフレッシュナーのユーザーを意味する。
【００８９】
試験製品を試験開始の１時間前に８００ｆｔ３の評価室に入れた。製品を視界から見えなくし、それぞれの評価室にランダムに生成された３桁のコードを付けた。試料を、盲検、バランス、ランダムおよびシークエンシャルモナディック法で提示した。評価者は評価室に入るように促され、６０秒間待ってから、部屋で知覚される匂いに関する一連の質問に答えた。１つの部屋ですべての質問を完了した後、評価者は第２の評価室に誘導され、同じ一連の質問に答えた。最後に、評価者は第３の評価室に誘導され、再び同じ質問表を完成するように求められた。評価者は、以下の属性に従って匂いを評価するように求められた：フレグランスの好ましさ；購入意向（すなわち、匂いを含む製品を購入する可能性はどれくらいか）；独自性；実物への近さ；多層性；多感覚フレグランス体験；爽やかさ；および快適さ。フレグランスの好ましさを６点のスケール（１＝フレグランスはまったく好ましくない、６＝フレグランスは非常に好ましい）を用いて評価した。各試料の他のすべての属性を、１〜５のスケール（１＝匂いはこの属性にまったく合わない、５＝匂いはこの属性に非常によく合う）を用いて評価した。
【００９０】
パネルの評価から生成されたデータを、いずれの場合もＤｕｎｃａｎのポストホック解析（α＝０．１０）による分散分析（ＡＮＯＶＡ）を用いて統計的に分析した。
【００９１】
試験１の結果を第１０表に示す。値の上の文字は、その属性の製品間に（９０％の信頼水準で）統計的な差が存在することを示す。同じ文字を共有している製品は互いに統計的に異なっていない。
【表１１】
2018531690.tif 000015
【００９２】
次の属性：フレグランスの好ましさ；実物への近さ；多層性；多感覚；および快適さに関して、試料間に統計的に有意な差は見られなかった。購入意向に関して、試験試料は基準製品と大きく異なるものではなかったが、基準製品は互いに大きく異なっていた。独自性に関して、試験製品は、１つの基準製品よりも有意に高く評価されていた。爽やかさに関して、基準製品は、１つの基準製品よりも有意に低く評価されていた。
【００９３】
試験２の結果を第１１表に示す：値の上の文字は、その属性の製品間に（９０％の信頼水準で）統計的な差が存在することを示す。同じ文字を共有している製品は互いに統計的に異なっていない。
【表１２】
2018531690.tif 000016
【００９４】
結果は試験１とは大きく異なる。驚くべきことに、０．００５質量％未満の調節化合物を添加すると、基準製品と比較してかなり異なる試験製品の評価が得られた。調節化合物を含む試験製品のフレグランスの好ましさおよび購入意向は基準製品のものよりも有意に高かった。試験製品を、次の属性：独自性；実物への近さ；多層性；および多感覚フレグランス体験に関して両方の基準製品よりも有意に高いと評価した。
【００９５】
実施例７
熟練した評価者によって評価される本発明によるエアフレッシュナーデバイスから発する香料の知覚にＮ−（１Ｈ−ピラゾール−５−イル）−Ｎ−（チオフェン−２−イルメチル）−２−（ｐ−トリルオキシ）アセトアミドが及ぼす効果
エアフレッシュナー中の調節化合物の効果を、６名の熟練したフレグランス評価者によって官能評価室で評価した。「熟練したフレグランス評価者」とは、フレグランスの評価と説明を行う当業者として認められるフレグランス産業の専門家を意味する。調香師は熟練したフレグランス評価者の一例である。調香師は、「ノーズ（Ｎｏｓｅ）」と呼ばれることもあるが、香料組成物を作り出す専門家である。調香師は、多種多様なフレグランス成分およびその匂いの質の正確な知識ならびにそれらを説明する能力を有し、また、単独でも他のフレグランスと組み合わせても、各フレグランス成分を区別することもできる。歴史的に、調香師は、彼らを雇用する会社の上級調香師の監督下で見習いとしてその技能を学び；多くは香料技術者（配合ブレンドの責任者）または化学者として働いていた。この種の徒弟制度は、通常、３年から５年続くだろう。最近では、専門学校が公衆に開かれており、香料の公式トレーニングコースを提供している。１９７０年にＩＳＩＰ（Institut superieur international du parfum）が設立され、１９８４年にＩＳＩＰＣＡグループ（Institut superieur international du parfum, de la cosmetique et de l’aromatique alimentaire）になった。ＩＳＩＰＣＡは香料、化粧品およびフードフレーバー配合物の大学院研究のための学校であり、フレグランスおよびフレーバー産業における見習い期間を有する。
【００９６】
この研究で使用したエアフレッシュナーデバイスは、自動エアロゾルタイプのもの（Ａｉｒｗｉｃｋ（登録商標）Ｆｒｅｓｈｍａｔｉｃ）であり；このようなデバイスは、制御された量の製品を、規則的な所定の間隔で空気中に自動的に供給することが可能であった。
【００９７】
１５．４５６ｇのフレグランスベース（第１２表）を、１．７１６ｇのジプロピレングリコールｎ−プロピルエーテル（Ｄｏｗａｎｏｌ（登録商標）ＤＰｎＰ；製造元および商標：ダウ）と３０ｍｌのガラス瓶内で混ぜ合わせることによってプレミックス３（調節化合物を含まない）を調製した。得られた液体組成物は、約９０質量％のフレグランスベースおよび１０質量％のＤｏｗａｎｏｌ（登録商標）ＤＰｎＰを含んでいた。
【００９８】
１９．９８７ｇのフレグランスベース（第１２表）を、２．２２１ｇの２％のＮ−（１Ｈ−ピラゾール−５−イル）−Ｎ−（チオフェン−２−イルメチル）−２−（ｐ−トリルオキシ）アセトアミド溶液（上記の実施例４で調製）と３０ｍｌのガラス瓶内で混ぜ合わせることによってプレミックス４（調節化合物を含有する）を調製した。得られた液体組成物は、約９０質量％のフレグランスベース、９．８質量％のＤｏｗａｎｏｌ（登録商標）ＤＰｎＰおよび０．２質量％のＮ−（１Ｈ−ピラゾール−５−イル）−Ｎ−（チオフェン−２−イルメチル）−２−（ｐ−トリルオキシ）アセトアミドを含有していた。
【００９９】
エアロゾル配合物を、第１３表に記載の組成（示された値は質量パーセントである）に従って、上記プレミックスを用いて調製した。
【表１３】
2018531690.tif 000017
１）７−メチル−２Ｈ，４Ｈ−１，５−ベンゾジオキセピン−３−オン、製造元：フィルメニッヒＳＡ、ジュネーブ、スイス
２）ドデカヒドロ−３ａ，６，６，９ａ−テトラメチル−ナフト［２，１−ｂ］フラン、製造元：フィルメニッヒＳＡ、ジュネーブ、スイス
３）２−メチル−１，３−ジオキサラン−２−エチルアセテート、製造元：インターナショナルフレーバー＆フレグランス、米国
４）メチルジヒドロジャスモネート、製造元：フィルメニッヒＳＡ、ジュネーブ、スイス
５）製造元：ジボダンＳＡ、ベルニエ、スイス
６）製造元：フィルメニッヒＳＡ、ジュネーブ、スイス
７）製造元：フィルメニッヒＳＡ、ジュネーブ、スイス
８）製造元：フィルメニッヒＳＡ、ジュネーブ、スイス
９）（１Ｓ，１’Ｒ）−２−［１−（３’，３’−ジメチル−１’−シクロヘキシル）エトキシ］−２−メチルプロピルプロパノエート、製造元：フィルメニッヒＳＡ、ジュネーブ、スイス
【表１４】
2018531690.tif 000018
【０１００】
約５５．７５ｇのエタノールおよび６．００ｇの脱イオン水をエアロゾル缶に入れた。次に、２．２５ｇのフレグランスベースまたはプレミックスを缶に加え、密閉（クリンプ）された計量式バルブを缶に入れた。次に缶を約３６．００ｇのブタン噴射剤で加圧し、アクチュエータをバルブ軸に取り付けた。次にエアロゾル缶を自動スプレーユニットに入れ、ユニットを９分ごとにスプレーするように設定した。試験製品を評価開始の１時間前に８００ｆｔ３の評価室に入れた。製品を視界から見えなくし、それぞれの評価室にランダムに生成された３桁のコードを付けた。熟練した評価者が１つの評価室に入るように促され、５分間部屋に留まるように指示された。５分後、評価者は部屋を出て、匂いのない環境で約１０分間待った。評価者は次に第２の評価室に誘導され、５分間そこに留まるように求められた。第２の評価室を出る際に、評価者はインタビューを受け、２つの部屋の匂いの類似点および相違点を説明するように求められた。６人の熟練したフレグランス評価者が試験に参加した；彼らのうちの３人が最初に調節化合物を含まない製品を評価し；他の３人は最初に調節化合物を含む製品を評価した。熟練した評価者の間には、０．００５質量％未満の調節化合物が存在することで、香料製品の知覚特性が変化するというコンセンサスがあった：全体的な感覚体験が強化されるが、フレグランスの嗅覚品質は維持された。２つの試験製品間の肯定的な違いを説明するために使用される記述の非網羅的なリストは以下のものを含む：
・より甘くて、より軽い；
・より柑橘類で、よりクリーンな；
・より多層で、フレッシュで、独自性のある；
・より軽い；
・より軽くて、より柔らかく、より空気のような、より爽やかで、より甘く、より食べやすい；
・よりフルーティーで、フローラルで、よりクリアで、より軽くて、よりフレッシュな；
・より軽くて、より爽やかな；
・柔らかく、フレッシュで、ウォータリーな；
・クリーンで、空気のような；
・元気づける；
・フルーティーで、甘く、フレッシュな；
・フレッシュで、山の空気のような；ならびに
・かすかで、軽く、爽やかな。
【０１０１】
一致した意見は、調節化合物と組み合わせたフレグランスを含有する製品は、フレグランスのみを含有する製品よりもクリアで、軽くて、フレッシュでかつより空気のような感覚的体験をもたらすということであった。このことは専門家には、消費者の体験全体を強化するであろうプラスの利益と見なされている。
【０１０２】
実施例８
本発明によるスプレーデバイス
以下の成分を下記の第１４表に示す量で混ぜ合わせることにより、本発明のデバイスのフレグランス成分を形成することを意図した１種の香料を調製した。
【表１５】
2018531690.tif 000019
＊製造元：フィルメニッヒＳＡ、ジュネーブ、スイス
１）プロピル（Ｓ）−２−（１，１−ジメチルプロポキシ）プロパノエート
２）８−メトキシ−２，６，６，８−テトラメチル−トリシクロ［５．３．１．０（１，５）］ウンデカン
３）１−（３，３−ジメチル−１−シクロヘキシル）エチルホルメート；製造元：インターナショナルフレーバー＆フレグランス
【表１６】
2018531690.tif 000020
【０１０３】
同時に、Ｎ−（１Ｈ−ピラゾール−５−イル）−Ｎ−（チオフェン−２−イルメチル）−２−（ｐ−トリルオキシ）アセトアミドを、組成物Ａについて表に示した同量のジプロピレングリコールで置き換えることによってブランク組成物を調製した。
【０１０４】
次に組成物Ａを１８名のパネルによってブランクに対して盲検法で評価した。後者は、各試料対から知覚される匂いの強さ、すなわち本発明による組成物およびブランクの匂いの強さを、１〜１０のスケールで評価するように求められた。１〜１０のスケールにおいて、０は匂いを検出できないことを表し、１０は非常に強い匂いを表した。
【０１０５】
３２℃の一定温度で３０分間ホットプレート上に置かれていたスライドガラスに、距離ゼロおよび距離８０ｃｍで試料を適用した後にこれを評価した。距離８０ｃｍの場合、圧縮空気がパネリストに向かってスライドガラス上に吹き付けられ、パネリストはＰｕｌｓｃｅｎｔ（登録商標）と呼ばれる装置のおかげで、スライドガラスから８０ｃｍのところにいる。このようにして行った盲検法の結果を平均し、スチューデントのｔ検定解析（α＝０．０５）に従って分散の処理を行った。
【０１０６】
図１は、距離ゼロおよび距離８０ｃｍでのブランクに対する組成物Ａの３２℃での約３０分後の盲検法による評価の結果を示す。この図から明らかなように、距離ゼロでのフレグランスの強さに関しては、Ｎ−（１Ｈ−ピラゾール−５−イル）−Ｎ−（チオフェン−２−イルメチル）−２−（ｐ−トリルオキシ）アセトアミドを含まないフレグランスが、Ｎ−（１Ｈ−ピラゾール−５−イル）−Ｎ−（チオフェン−２−イルメチル）−２−（ｐ−トリルオキシ）アセトアミドを含むフレグランスよりも有意に強いことが分かる。Ｎ−（１Ｈ−ピラゾール−５−イル）−Ｎ−（チオフェン−２−イルメチル）−２−（ｐ−トリルオキシ）アセトアミドはフレグランスの蒸発を維持すると思われる。その一方、８０ｃｍの距離でのフレグランスの強さに関しては、Ｎ−（１Ｈ−ピラゾール−５−イル）−Ｎ−（チオフェン−２−イルメチル）−２−（ｐ−トリルオキシ）アセトアミドを含むフレグランスは、Ｎ−（１Ｈ−ピラゾール−５−イル）−Ｎ−（チオフェン−２−イルメチル）−２−（ｐ−トリルオキシ）アセトアミドを含まないフレグランスよりも有意に強い。Ｎ−（１Ｈ−ピラゾール−５−イル）−Ｎ−（チオフェン−２−イルメチル）−２−（ｐ−トリルオキシ）アセトアミドは空気中でのフレグランスの拡散を改善すると思われる。
【０１０７】
実施例９
Ｎ−（１Ｈ−ピラゾール−５−イル）−Ｎ−（チオフェン−２−イルメチル）−２−（ｐ−トリルオキシ）アセトアミドの強度増強活性
エアフレッシュナー中の調節化合物の効果を官能評価室で評価した。この研究で使用したエアフレッシュナーデバイスは、自動エアロゾルタイプ（Ａｉｒｗｉｃｋ（登録商標）Ｆｒｅｓｈｍａｔｉｃ）のものであり、このようなデバイスは、制御された量の製品を、規則的な所定の間隔で空気中に自動的に供給することができる。フレグランス成分を下記の第１６表に示した量で混ぜ合わせることによってフレグランスベースを調製した。
【表１７】
2018531690.tif 000021
１）２−ｔｅｒｔ−ブチル−１−シクロヘキシルアセテート；製造元：インターナショナルフレーバー＆フレグランス、米国
２）製造元：フィルメニッヒＳＡ、ジュネーブ、スイス
３）製造元：フィルメニッヒＳＡ、ジュネーブ、スイス
【０１０８】
０．５０９ｇのＮ−（１Ｈ−ピラゾール−５−イル）−Ｎ−（チオフェン−２−イルメチル）−２−（ｐ−トリルオキシ）アセトアミドを、１２．２２２ｇのＤｏｗａｎｏｌ（登録商標）ＤＰｎＰと２０ｍｌのガラス瓶内で混ぜ合わせることによって、約４質量％のＮ−（１Ｈ−ピラゾール−５−イル）−Ｎ−（チオフェン−２−イルメチル）−２−（ｐ−トリルオキシ）アセトアミドを含有するジプロピレングリコール−ｎ−プロピルエーテル（Ｄｏｗａｎｏｌ（登録商標）ＤＰｎＰ）溶液を調製した。エアロゾル配合物を、以下の第１７表に記載の組成（示された値は質量パーセントである）に従って調製した。
【表１８】
2018531690.tif 000022
【０１０９】
約５５．５２５ｇのエタノール、６．００ｇの脱イオン水および２．２５ｇのフレグランスベース（第１６表）を各エアロゾル缶に加えた。缶のうちの１本に、０．２２５ｇのＤｏｗａｎｏｌ（登録商標）ＤＰｎＰを加えた。他の缶には、上記で調製したＤｏｗａｎｏｌ（登録商標）ＤＰｎＰ中の０．２２５ｇのＮ−（１Ｈ−ピラゾール−５−イル）−Ｎ−（チオフェン−２−イルメチル）−２−（ｐ−トリルオキシ）アセトアミドの４％溶液を加えた。計量式バルブを各缶に密閉（クリンプ）し、両方を約３６．００ｇのブタン噴射剤で加圧した。アクチュエータをバルブ軸に取り付け、エアロゾル缶を自動スプレーユニットに入れ、両方のスプレーユニットを、９分ごとに投与量をスプレーするように設定した。
【０１１０】
調節化合物の有無にかかわらず、試験エアロゾルの評価を８００ｆｔ３の評価室で行った。試料を、２５人の訓練を受けた評価者のパネルによって評価した。訓練を受けた評価者とは、嗅覚的な鋭さに関して選抜され、匂いに存在する特徴を定量的な感覚で検知し、説明することができ；かつ匂いの強さを定量的な感覚で検知し、説明することができるように訓練を受けた者である。彼らは試験手順、質問表、および必要とされる判断の種類（この場合、知覚される匂いの強さの評価）に完全に精通している。
【０１１１】
試験エアロゾルを試験開始の１時間前に評価室に入れた。製品を視界から見えなくし、それぞれの評価室にランダムに生成された３桁のコードを付けた。試料を、盲検、バランス、ランダムおよびシークエンシャルモナディック法で提示した。各訓練を受けた評価者は、部屋のドアにあるハッチを介して評価室の１つの匂いを嗅ぐように促された。評価者に、知覚される匂いの量に相当する質問表の水平線にマークをつけることによって部屋の匂いの強さを評価するように求めた。スケールの左端が「匂いなし」に相当し、スケールの右端が「極めて強い匂い」に相当した。次に評価者はハッチを閉め、６０秒間待ってから第２の部屋に誘導され、強度評価のプロセスを繰り返すように指示された。
【０１１２】
マークの位置をスケールに沿って測定することにより、ラインスケールのマークを０〜１０の範囲の数字に変換した。この数値データを、いずれの場合もスチューデントのｔ検定（片側検定、α＝０．０５）を用いて統計的に分析した。図２は試験の結果を示す。明らかに、Ｎ−（１Ｈ−ピラゾール−５−イル）−Ｎ−（チオフェン−２−イルメチル）−２−（ｐ−トリルオキシ）アセトアミドを含む試料は、Ｎ−（１Ｈ−ピラゾール−５−イル）−Ｎ−（チオフェン−２−イルメチル）−２−（ｐ−トリルオキシ）アセトアミドを含まない試料よりも有意に高い知覚強度を有すると認められたことが分かる。
【０１１３】
実施例１０
以下の成分を下記の第１８表に示す量で混ぜ合わせることにより、本発明の組成物のフレグランス成分を形成することを意図した１種の香料を調製した。
【表１９】
2018531690.tif 000023
１）製造元：フィルメニッヒＳＡ、ジュネーブ、スイス
２）１−（オクタヒドロ−２，３，８，８−テトラメチル−２−ナフタレニル）−１−エタノン、製造元：インターナショナルフレーバー＆フレグランス、米国
３）（１Ｓ，１’Ｒ）−［１−（３’，３’−ジメチル−１’−シクロヘキシル）エトキシカルボニル］メチルプロパノエート、フィルメニッヒＳＡ、ジュネーブ、スイス
４）ジボダンＳＡ、ベルニエ、スイス
【表２０】
2018531690.tif 000024
【０１１４】
同時に、Ｎ−（１Ｈ−ピラゾール−５−イル）−Ｎ−（チオフェン−２−イルメチル）−２−（ｐ−トリルオキシ）アセトアミドを、組成物Ｂについて表に示した同量のジプロピレングリコールで置き換えることによってブランク組成物を調製した。
【０１１５】
組成物Ｂおよびブランク組成物を、３２℃の恒温のスライドガラスに適用した後、いくつかの時点（フレッシュ、２時間１５分、４時間１５分（図３）、６時間１５分（図４））で、定量的記述分析法（ＱＤＡ）によって評価した。ＱＤＡを使用してフレグランスの特性を説明しかつ定量化し、コンセンサスのある語彙および直線的なラインスケールを使用して説明的な評価を提供する。
【０１１６】
８人〜１２人のパネリストが複雑な感覚作業のために選抜され、訓練された。この方法論は、言葉を生成する反復プロセスに基づいており、属性は完全にパネリストに由来する。次に属性が定義され、標準物質を評価に使用する。１試料および１人のパネリストにつき３回の完全反復を行う。ＱＤＡは、０〜１０の数値に変換された１０ｃｍの半構造ライン強度スケールを使用している。
【０１１７】
このようにして行われた盲検法の結果を平均し、Ｄｕｎｃａｎのポストホック解析（α＝０．０５）に従って分散の処理を行った。
【０１１８】
文字を共有する製品は互いに大きく異なるとは考えられない（以下の表を参照のこと）。
【表２１】
2018531690.tif 000025
説明：
＊＊＊＝９９．９％での有意差
＊＊＝９９％での有意差
＊＝９５％での有意差
＃＝８５％での有意差（傾向）
【０１１９】
「フレッシュ」の段階では、組成物Ｂは、ブランクと比較して、ローズでは有意に強く、ツベローズノートではあまり強くなく、ベルガモットではより強く、そしてアルデヒドノートではあまり強くない傾向があった。
【０１２０】
「２時間１５分後」の段階では、組成物Ｂは、ブランクと比較して、ベルガモット、フリージアおよびハニーサックルでは有意に強く、ネロリ、アルデヒド、ヒヤシンス、ムスク、ヘイ、セダーウッドのノートではより強く、そしてクリーミーノートではあまり強くない傾向があった。
【０１２１】
図３に示すように、「４時間１５分後」の段階では、組成物Ｂは、ブランクと比較して、ベルガモット、ライム、グリーンアップル、フリージア、ネロリ、ツベロース、スミレ、ラベンダー、レモングラス、ムスク、ヘイ、フォレストモス、セダーウッドでは顕著に強く、そしてハニーサックル、ライラック、ミュゲ、アルデヒド、ヒヤシンス、プチグレンではあまり強くない傾向があった。
【０１２２】
「６時間１５分後」の段階では、図４に示すように、組成物Ｂは、ブランクと比較して、ほとんどの属性において有意に強く、ライラックおよびヒヤシンスではより強い傾向があり、そしてローズおよびクリーミーノートでは有意差はなかった。
【０１２３】
「４時間１５分後」および「６時間１５分後」では、ブランクは全体的な強さが比較的弱く、このため、属性を認識して定量化するのが難しくなるが、組成物Ｂは容易に説明することができる。本発明の組成物は、フレグランスの嗅覚プロフィールにプラスの影響を与え、その顕著さおよび長持ち性を増加させる（適用から６時間後であっても全体的な強さが相対的に強い（典型的には３．５よりも高い強さ）と認められるため）。
【図１】
2018531690.tif 000027
【図２】
2018531690.tif 000028
【図３】
2018531690.tif 000029
【図４】
2018531690.tif 000030
【国際調査報告】
2018531690.tif 000031
2018531690.tif 000032
2018531690.tif 000033
2018531690.tif 000034